(57)【要約】【課題】クロストークを抑制することができる表示装置及び映像視聴システムを提供する。【解決手段】フレーム画像が表示される表示面を含む液晶パネルと、フレーム画像信号よりも低い解像度の画像を表す第１画像信号と、高い解像度の画像を表す第２画像信号と、に変換する変換部と、第１画像信号を表示面全体の画素に亘って第１走査動作を実行した後、第２画像信号を表示面全体の画素に亘って第２走査動作を実行し、液晶パネルを駆動する液晶駆動部と、を備え、液晶駆動部は、表示面の画素に対して第１走査動作が実行され第２走査動作が開始するまでに達成する達成輝度に対する期待値と前記フレーム画像信号によって規定される画素に対する目標輝度とに基づき設定される駆動輝度に向けて第２走査動作を実行することを特徴とする表示装置。【選択図】図１
2012137628.tif 000002
【特許請求の範囲】
【請求項１】
フレーム画像が表示される表示面を含む液晶パネルと、
前記フレーム画像を表示するためのフレーム画像信号を、該フレーム画像信号よりも低い解像度の画像を表す第１画像信号と、該第１画像信号よりも高い解像度の画像を表す第２画像信号と、に変換する変換部と、
前記第１画像信号を前記表示面全体の画素に亘って第１走査動作を実行した後、前記第２画像信号を前記表示面全体の前記画素に亘って第２走査動作を実行し、前記液晶パネルを駆動する液晶駆動部と、を備え、
該液晶駆動部は、前記表示面の前記画素に対して前記第１走査動作が実行され、前記第２走査動作が開始するまでに達成する達成輝度に対する期待値と前記フレーム画像信号によって規定される前記画素に対する目標輝度とに基づき設定される駆動輝度に向けて前記第２走査動作を実行することを特徴とする表示装置。
【請求項２】
前記フレーム画像は、左眼で視聴されるように作成された左眼用フレーム画像と右眼で視聴されるように作成された右眼用フレーム画像とを、含み、
前記液晶パネルは、前記左眼用フレーム画像と前記右眼用フレーム画像とを、時間的に交互に切り換えて、立体的に知覚される画像を表示面に表示することを特徴とする請求項１に記載の表示装置。
【請求項３】
前記表示面は、副走査方向に整列した複数の画素を含む画素グループを含み、
前記変換部は、前記フレーム画像信号に基づき、前記画素グループに共通する等価輝度を規定する等価信号を生成し、
液晶駆動部は、前記等価輝度に応じて、前記複数の画素に前記第１走査動作を同時に実行することを特徴とする請求項１又は２に記載の表示装置。
【請求項４】
前記等価信号は、前記フレーム画像信号が前記画素グループ内の前記複数の画素それぞれに対して規定する輝度が平均された輝度を、前記画素グループ内の前記複数の画素それぞれに規定することを特徴とする請求項３に記載の表示装置。
【請求項５】
前記等価信号は、前記画素グループ内の前記複数の画素から選択された画素に対して前記フレーム画像信号が規定する輝度と等しい輝度を、前記画素グループ内の前記複数の画素それぞれに規定することを特徴とする請求項３に記載の表示装置。
【請求項６】
前記第１画像信号を前記表示面全体の前記画素に亘って第１走査動作を実行する第１走査期間は、前記第２画像信号を前記表示面全体の前記画素に亘って第２走査動作を実行する第２走査期間よりも短いことを特徴とする請求項１乃至５のいずれか１項に記載の表示装置。
【請求項７】
前記変換部は、表示対象のフレーム画像に対応する前記等価信号が規定する前記画素の現行輝度と、前記表示対象のフレーム画像の直前に表示された先行のフレーム画像に対応する前記等価信号が規定する前記画素の先行輝度と、に基づき、前記達成輝度に対する前記期待値を設定することを特徴とする請求項３乃至６のいずれか１項に記載の表示装置。
【請求項８】
前記変換部は、前記画素の副走査方向の位置に更に基づき、前記達成輝度に対する前記期待値を設定することを特徴とする請求項７に記載の表示装置。
【請求項９】
前記変換部は、前記現行輝度と前記先行輝度とに基づき前記駆動輝度を決定するための第１データを含む第１テーブルを用いて、前記駆動輝度を設定することを特徴とする請求項７又は８に記載の表示装置。
【請求項１０】
前記変換部は、前記達成輝度に対する前記期待値と前記目標輝度との差が大きいほど、前記目標輝度との差が大きくなる前記駆動輝度を設定することを特徴とする請求項１に記載の表示装置。
【請求項１１】
前記変換部は、前記画素の副走査方向の位置に更に基づき、前記駆動輝度を設定することを特徴とする請求項１又は１０記載の表示装置。
【請求項１２】
前記変換部は、表示対象のフレーム画像の直前に表示された先行のフレーム画像に対応する前記フレーム画像信号によって規定される前記画素に対する目標輝度に更に基づき、前記駆動輝度を設定することを特徴とする請求項１、１０、１１いずれか１項に記載の表示装置。
【請求項１３】
前記変換部は、前記達成輝度に対する前記期待値と前記目標輝度とに基づき前記駆動輝度を決定するための第２データを含む第２テーブルを用いて、前記駆動輝度を設定することを特徴とする請求項１乃至１２のいずれか１項に記載の表示装置。
【請求項１４】
前記第２テーブルは、前記達成輝度に対する前記期待値に関する期待値データを格納する期待値テーブルと、前記期待値データと前記目標輝度に基づき前記駆動輝度を決定するための決定テーブルと、を含むことを特徴とする請求項１２に記載の表示装置。
【請求項１５】
左眼で視聴されるように作成された左眼用フレーム画像と右眼で視聴されるように作成された右眼用フレーム画像とを表示し、立体的に知覚される画像を提供する表示装置と、
前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、
前記表示装置は、
前記左眼用フレーム画像と前記右眼用フレーム画像とを、時間的に交互に切り換えて表示面に表示する液晶パネルと、
前記左眼用フレーム画像又は前記右眼用フレーム画像を表示するためのフレーム画像信号を、該フレーム画像信号よりも低い解像度の画像を表す第１画像信号と、該第１画像信号よりも高い解像度の画像を表す第２画像信号と、に変換する変換部と、
前記第１画像信号を前記表示面全体の画素に亘って第１走査動作を実行した後、前記第２画像信号を前記表示面全体の画素に亘って第２走査動作を実行し、前記液晶パネルを駆動する液晶駆動部と、を備え、
該液晶駆動部は、前記表示面の前記画素に対して前記第１走査動作が実行され、前記第２走査動作が開始するまでに達成する達成輝度に対する期待値と前記フレーム画像信号によって規定される前記画素に対する目標輝度とに基づき設定される駆動輝度に向けて前記第２走査動作を実行することを特徴とする映像視聴システム。
【発明の詳細な説明】
【技術分野】
【０００１】
本発明は、映像を表示する表示装置及び映像視聴システムに関する。
【背景技術】
【０００２】
立体的に知覚される映像を表示する表示装置は、左眼で視聴されるための左眼用フレーム画像（以下、Ｌフレーム画像と称される）と、右眼で視聴されるための右眼用フレーム画像（以下、Ｒフレーム画像と称される）とを所定周期（例えば、フィールド周期）で交互に表示する。表示されるＬフレーム画像及びＲフレーム画像は、視差の分だけ異なる内容を含む。視聴者は、Ｌフレーム画像及びＲフレーム画像の表示周期に同期して駆動される液晶シャッタを備える眼鏡装置を通じて、Ｌフレーム画像及びＲフレーム画像を視聴する（例えば、特許文献１及び特許文献２参照）。この結果、視聴者は、Ｌフレーム画像及びＲフレーム画像に表現されたオブジェクトを立体的に知覚する。
【０００３】
図３２は、従来の映像視聴システムのブロック図である。尚、図３２に示される映像視聴システムには、６０Ｈｚの映像信号（左眼用映像信号及び右眼用映像信号）が入力される。
【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０ＨｚでＬフレーム画像及びＲフレーム画像が交互に表示される。
【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。
【０００６】
図３３は、従来の映像視聴システム９００の制御タイミングチャートである。図３３のセクション（Ａ）は、液晶パネル９０４のＬフレーム画像及びＲフレーム画像の走査タイミングを示す。図３３のセクション（Ｂ）は、バックライト９０５の点灯タイミングを示す。図３３のセクション（Ｃ）は、眼鏡装置９５０のシャッタ９５１，９５２の開閉タイミングを示す。図３２及び図３３を用いて、従来の映像視聴システム９００が説明される。
【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴されるＬフレーム画像及びＲフレーム画像は、視聴者の左右の眼でそれぞれ視聴される。この結果、視聴者は、脳内で、視覚的な立体像を生成する。
【０００８】
図３３に示される制御タイミングで動作する映像視聴システムにおいて、視聴者はシャッタ９５１，９５２が開かれている期間（立体像の生成に必要な映像を視聴するのに十分な期間）のみＬフレーム画像又はＲフレーム画像を視聴する。一方、バックライト９０５は、シャッタ９５１，９５２が開かれている期間以外の期間においても常時点灯している。したがって、図３３に示される制御タイミングで動作する映像視聴システムは、省電力の観点から好ましくない。
【０００９】
図３４は、従来の映像視聴システム９００の他の制御タイミングチャートである。図３４のセクション（Ａ）は、液晶パネル９０４のＬフレーム画像及びＲフレーム画像の走査タイミングを示す。図３４のセクション（Ｂ）は、バックライト９０５の点灯タイミングを示す。図３４のセクション（Ｃ）は、眼鏡装置９５０のシャッタ９５１，９５２の開閉タイミングを示す。図３２乃至図３４を用いて、従来の映像視聴システム９００が更に説明される。
【００１０】
特許文献２は、Ｌフレーム画像又はＲフレーム画像が視聴される期間のみバックライト９０５が点灯される制御を開示する。図３４に示される制御では、図３３に示される制御と異なり、Ｌフレーム画像又はＲフレーム画像が視聴される期間のみバックライト９０５が発光している。したがって、図３４に示される制御は、図３３に示される制御よりも省電力の点で優れている。
【先行技術文献】
【特許文献】
【００１１】
【特許文献１】特開昭６２−１３３８９１号公報
【特許文献２】特開２００９−２５４３６号公報
【発明の概要】
【発明が解決しようとする課題】
【００１２】
左眼シャッタ９５１は、液晶パネル９０４が左眼で視聴されるように作成されたＬフレーム画像を表示した後且つＲフレーム画像を表示するための右眼用映像信号が走査される前に開かれる。同様に、右眼シャッタ９５２は、液晶パネル９０４が右眼で視聴されるように作成されたＲフレーム画像を表示した後且つＬフレーム画像を表示するための左眼用映像信号が走査される前に開かれる。
【００１３】
図３３及び図３４に示される如く、左眼用映像信号及び／又は右眼用映像信号は液晶パネル９０４の上部から走査される。したがって、液晶パネル９０４の下部における左眼用映像信号及び／又は右眼用映像信号の走査は、液晶パネル９０４の上部に対して遅れる。
【００１４】
左眼用映像信号及び／又は右眼用映像信号に基づく液晶の応答は、表示される映像の種類に応じた時間を要求する。例えば、先行して表示されるフレーム画像を表現する画素の輝度と、後に表示されるフレーム画像を表現する画素の輝度との間で大きさに差異が生ずる場合、比較的長い液晶の応答時間が要求される。
【００１５】
Ｌフレーム画像又はＲフレーム画像の表示が完了するのを待って、左眼シャッタ９５１又は右眼シャッタ９５２が開かれた場合、液晶の応答時間が長いことに起因して、左眼シャッタ９５１又は右眼シャッタ９５２が開かれている期間が短くなる。この結果、視聴者は液晶パネル９０４に表示された立体映像を暗く感じる。
【００１６】
Ｌフレーム画像の表示が完了するのを待たずに、左眼シャッタ９５１が開かれた場合、視聴者は、先行して表示されたＲフレーム画像の影響が混在したＬフレーム画像を視聴することとなる。同様に、Ｒフレーム画像の表示が完了するのを待たずに、右眼シャッタ９５２が開かれた場合、視聴者は、先行して表示されたＬフレーム画像の影響が混在したＲフレーム画像を視聴することとなる。このようなＬフレーム画像とＲフレーム画像との混在は、クロストークと称される。液晶パネル９０４の下部における左眼用映像信号及び／又は右眼用映像信号の走査の遅れ並びに液晶の応答時間に起因して、先行するフレーム画像（Ｌフレーム画像又はＲフレーム画像）の混在量は、液晶パネル９０４の下部において特に大きくなる。したがって、視聴者は液晶パネル９０４の下部において表示されたフレーム画像を立体的に知覚しにくくなる。
【００１７】
上述のクロストークの課題は、視差の分だけ異なる内容を表すＬフレーム画像及びＲフレーム画像が時間的に交互に表示される立体映像の表示において、特に顕著となるが、２次元映像においても共通の課題である。先行して表示されるフレーム画像と後続のフレーム画像との間の輝度差が大きな領域が存在するならば、視聴者は、クロストークを知覚しやすい。特に、輝度差が大きな領域が、比較的遅く走査されるならば、視聴者は、クロストークを一層知覚しやすくなる。
【００１８】
本発明は、クロストークを抑制することができる表示装置及び映像視聴システムを提供することを目的とする。
【課題を解決するための手段】
【００１９】
本発明の一の局面に係る表示装置は、フレーム画像が表示される表示面を含む液晶パネルと、前記フレーム画像を表示するためのフレーム画像信号を、該フレーム画像信号よりも低い解像度の画像を表す第１画像信号と、該第１画像信号よりも高い解像度の画像を表す第２画像信号と、に変換する変換部と、前記第１画像信号を前記表示面全体の画素に亘って第１走査動作を実行した後、前記第２画像信号を前記表示面全体の前記画素に亘って第２走査動作を実行し、前記液晶パネルを駆動する液晶駆動部と、を備え、該液晶駆動部は、前記表示面の前記画素に対して前記第１走査動作が実行され、前記第２走査動作が開始するまでに達成する達成輝度に対する期待値と前記フレーム画像信号によって規定される前記画素に対する目標輝度とに基づき設定される駆動輝度に向けて前記第２走査動作を実行することを特徴とする。
【００２０】
上記構成によれば、液晶パネルは、フレーム画像を表示面に表示する。変換部は、フレーム画像を表示するためのフレーム画像信号を、フレーム画像信号よりも低い解像度の画像を表す第１画像信号と、第１画像信号よりも高い解像度の画像を表す第２画像信号と、に変換する。液晶駆動部は、第１画像信号を表示面全体の画素に亘って走査する第１走査動作を実行する。液晶駆動部は、その後、第２画像信号を表示面全体の画素に亘って走査する第２走査動作を実行する。フレーム画像信号よりも低い解像度の画像を表す第１画像信号を用いる第１走査動作は、第２走査動作より短い期間で達成されるので、第２走査動作を行うための期間が適切に確保される。また、第１走査動作によって、液晶パネルの駆動が表示面に亘って早期に開始されるので、特に比較的遅く第２走査動作がなされる表示面の領域におけるクロストークが低減される。
【００２１】
駆動輝度は、表示面の画素に対して第１走査動作が実行される結果、第２走査動作が開始するまでに達成する達成輝度に対する期待値と、フレーム画像信号によって規定される画素に対する目標輝度とに基づき設定される。液晶駆動部は、駆動輝度に向けて、画素に対応する液晶を駆動させる。達成輝度に対する期待値と目標輝度とに応じて、駆動輝度が調整されるので、第１走査動作のための解像度の低減処理がフレーム画像の表示に与える影響が少なくなる。
【００２２】
上記構成において、前記フレーム画像は、左眼で視聴されるように作成された左眼用フレーム画像と右眼で視聴されるように作成された右眼用フレーム画像とを、含み、前記液晶パネルは、前記左眼用フレーム画像と前記右眼用フレーム画像とを、時間的に交互に切り換えて、立体的に知覚される画像を表示面に表示することが好ましい。
【００２３】
上記構成によれば、液晶パネルは、左眼で視聴されるように作成された左眼用フレーム画像と右眼で視聴されるように作成された右眼用フレーム画像とを、時間的に交互に切り換えて、立体的に知覚される画像を表示面に表示する。視聴者は、特に比較的遅く第２走査動作がなされる表示面の領域におけるクロストークが低減された立体画像を視聴することができる。
【００２４】
上記構成において、前記表示面は、副走査方向に整列した複数の画素を含む画素グループを含み、前記変換部は、前記フレーム画像信号に基づき、前記画素グループに共通する等価輝度を規定する等価信号を生成し、液晶駆動部は、前記等価輝度に応じて、前記複数の画素に前記第１走査動作を同時に実行することが好ましい。
【００２５】
上記構成によれば、表示面は、副走査方向に整列した複数の画素を含む画素グループを含む。変換部は、フレーム画像信号に基づき、画素グループに共通する等価輝度を規定する等価信号を生成する。第１走査動作を実行する液晶駆動部は、等価輝度に応じて、複数の画素に対応する液晶を同時に駆動する。第１走査期間は、比較的短くなるので、第２走査動作を行うための期間が適切に確保される。また、第１走査動作によって、液晶パネルの駆動が表示面に亘って早期に開始されるので、特に比較的遅く第２走査動作がなされる表示面の領域におけるクロストークが低減される。
【００２６】
上記構成において、前記等価信号は、前記フレーム画像信号が前記画素グループ内の前記複数の画素それぞれに対して規定する輝度が平均された輝度を、前記画素グループ内の前記複数の画素それぞれに規定することが好ましい。
【００２７】
上記構成によれば、等価信号は、フレーム画像信号が画素グループ内の複数の画素それぞれに対して規定する輝度が平均された輝度を、画素グループ内の複数の画素それぞれに規定する。液晶駆動部は、画素グループ内の複数の画素それぞれに対して、第１走査動作を同時に実行する。第１走査期間は、比較的短くなるので、第２走査動作を行うための期間が適切に確保される。また、第１走査動作によって、液晶パネルの駆動が表示面に亘って早期に開始されるので、特に比較的遅く第２走査動作がなされる表示面の領域におけるクロストークが低減される。また、平均された輝度が規定されるので、グループ内に含まれるすべての画素に対してフレーム画像信号が規定する輝度から大きく乖離しない輝度が規定される。
【００２８】
上記構成において、前記等価信号は、前記画素グループ内の前記複数の画素から選択された画素に対して前記フレーム画像信号が規定する輝度と等しい輝度を、前記画素グループ内の前記複数の画素それぞれに規定することが好ましい。
【００２９】
上記構成によれば、等価信号は、画素グループ内の複数の画素から選択された画素に対してフレーム画像信号が規定する輝度と等しい輝度を、画素グループ内の複数の画素それぞれに規定する。液晶駆動部は、画素グループ内の複数の画素それぞれに対して、第１走査動作を同時に実行する。第１走査期間は、比較的短くなるので、第２走査動作を行うための期間が適切に確保される。また、第１走査動作によって、液晶パネルの駆動が表示面に亘って早期に開始されるので、特に比較的遅く第２走査動作がなされる表示面の領域におけるクロストークが低減される。また、選択された輝度が規定されるので、少なくとも選択された画素に対してはフレーム画像信号が規定する輝度が規定される。
【００３０】
上記構成において、前記第１画像信号を前記表示面全体の画素に亘って第１走査動作を実行する第１走査期間は、前記第２画像信号を前記表示面全体の画素に亘って第２走査動作を実行する第２走査期間よりも短いことが好ましい。
【００３１】
上記構成によれば、第１画像信号を表示面全体の画素に亘って第１走査動作を実行する第１走査期間は、第２画像信号を表示面全体の画素に亘って第２走査動作を実行する第２走査期間よりも短いので、第２走査動作を行うための期間が適切に確保される。
【００３２】
上記構成において、前記変換部は、表示対象のフレーム画像に対応する前記等価信号が規定する前記画素の現行輝度と、前記表示対象のフレーム画像の直前に表示された先行のフレーム画像に対応する前記等価信号が規定する前記画素の先行輝度と、に基づき、前記達成輝度に対する前記期待値を設定することが好ましい。
【００３３】
上記構成によれば、変換部が設定する達成輝度に対する期待値は、表示対象のフレーム画像に対応する等価信号が規定する画素の現行輝度と、表示対象のフレーム画像の直前に表示された先行のフレーム画像に対応する等価信号が規定する画素の先行輝度と、に基づくので、適切な値となる。適切に設定された達成輝度に対する期待値と目標輝度とに応じて、駆動輝度が適切に調整されるので、第１走査動作のための解像度の低減処理がフレーム画像の表示に与える影響が少なくなる。
【００３４】
上記構成において、前記変換部は、前記画素の副走査方向の位置に更に基づき、前記達成輝度に対する期待値を設定することが好ましい。
【００３５】
上記構成によれば、変換部は、画素の副走査方向の位置に更に基づき、達成輝度に対する期待値を設定するので、表示面全体に亘って、適切な輝度制御が達成される。
【００３６】
上記構成において、前記変換部は、前記現行輝度と前記先行輝度とに基づき前記駆動輝度を決定するための第１データを含む第１テーブルを用いて、前記駆動輝度を設定することが好ましい。
【００３７】
上記構成によれば、変換部は、現行輝度と先行輝度とに対応する駆動輝度を表す第１データを含む第１テーブルを用いて、駆動輝度を設定する。したがって、変換部が行う駆動輝度を設定するための処理が簡素化される。
【００３８】
上記構成において、前記変換部は、前記達成輝度に対する期待値と前記目標輝度との差が大きいほど、前記目標輝度との差が大きくなる前記駆動輝度を設定することが好ましい。
【００３９】
上記構成によれば、変換部は、達成輝度に対する期待値と目標輝度との差が大きいほど、目標輝度との差が大きくなる駆動輝度を設定する。第１走査期間において、達成輝度に対する期待値と目標輝度との差が大きいほど、第２走査期間において、画素の輝度の調整が大きく行われるので、画素は比較的早期に目標輝度を達成することができる。したがって、フレーム画像のクロストークが低減される。
【００４０】
上記構成において、前記変換部は、前記画素の副走査方向の位置に更に基づき、前記駆動輝度を設定することが好ましい。
【００４１】
上記構成によれば、変換部は、画素の副走査方向の位置に更に基づき、駆動輝度を設定するので、表示面全体に亘って、適切な輝度制御が達成される。
【００４２】
上記構成において、前記変換部は、表示対象のフレーム画像の直前に表示された先行のフレーム画像に対応する前記フレーム画像信号によって規定される前記画素に対する目標輝度に更に基づき、前記駆動輝度を設定することが好ましい。
【００４３】
上記構成によれば、表示対象のフレーム画像の直前に表示された先行のフレーム画像に対応するフレーム画像信号によって規定される画素に対する目標輝度に更に基づき、駆動輝度を設定するので、先行するフレーム画像信号の影響が低減される。
【００４４】
上記構成において、前記変換部は、前記達成輝度に対する期待値と前記目標輝度とに基づき前記駆動輝度を決定するための第２データを含む第２テーブルを用いて、前記駆動輝度を設定することが好ましい。
【００４５】
上記構成によれば、変換部は、達成輝度に対する期待値と目標輝度とに基づき駆動輝度を決定するための第２データを含む第２テーブルを用いて、駆動輝度を設定するので、変換部が行う駆動輝度を設定するための処理が簡素化される。
【００４６】
上記構成において、前記第２テーブルは、前記達成輝度に対する前記期待値に関する期待値データを格納する期待値テーブルと、前記期待値データと前記目標輝度に基づき前記駆動輝度を決定するための決定テーブルと、を含むことが好ましい。
【００４７】
上記構成によれば、第２テーブルは、達成輝度に対する期待値に関する期待値データを格納する期待値テーブルと、期待値データと目標輝度とに基づき駆動輝度を決定するための決定テーブルと、を含む。したがって、変換部が行う駆動輝度を設定するための処理が簡素化される。
【００４８】
本発明の一の局面に係る映像視聴システムは、左眼で視聴されるように作成された左眼用フレーム画像と右眼で視聴されるように作成された右眼用フレーム画像とを表示し、立体的に知覚される画像を提供する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、前記表示装置は、前記左眼用フレーム画像と前記右眼用フレーム画像とを、時間的に交互に切り換えて表示面に表示する液晶パネルと、前記左眼用フレーム画像又は前記右眼用フレーム画像を表示するためのフレーム画像信号を、該フレーム画像信号よりも低い解像度の画像を表す第１画像信号と、該第１画像信号よりも高い解像度の画像を表す第２画像信号と、に変換する変換部と、前記第１画像信号を前記表示面全体の画素に亘って第１走査動作を実行した後、前記第２画像信号を前記表示面全体の画素に亘って第２走査動作を実行し、前記液晶パネルを駆動する液晶駆動部と、を備え、該液晶駆動部は、前記表示面の前記画素に対して前記第１走査動作が実行され、前記第２走査動作が開始するまでに達成する達成輝度に対する期待値と前記フレーム画像信号によって規定される前記画素に対する目標輝度とに基づき設定される駆動輝度に向けて前記第２走査動作を実行することを特徴とする。
【００４９】
上記構成によれば、表示装置は、左眼で視聴されるように作成された左眼用フレーム画像と右眼で視聴されるように作成された右眼用フレーム画像とを表示する。眼鏡装置の左眼フィルタは、左眼用フレーム画像が視聴されるように左眼へ到達する光量を調整する。眼鏡装置の右眼フィルタは、右眼用フレーム画像が視聴されるように右眼へ到達する光量を調整する。液晶パネルは、左眼で視聴されるように作成された左眼用フレーム画像と右眼で視聴されるように作成された右眼用フレーム画像とを、時間的に交互に切り換えて表示面に表示する。したがって、視聴者は、表示装置が提供する画像を立体的に知覚することができる。
【００５０】
変換部は、変換部は、左眼用フレーム画像又は右眼用フレーム画像を表示するためのフレーム画像信号を、フレーム画像信号よりも低い解像度の画像を表す第１画像信号と、第１画像信号よりも高い解像度の画像を表す第２画像信号と、に変換する。液晶駆動部は、第１画像信号を表示面全体の画素に亘って走査する第１走査動作を実行する。液晶駆動部は、その後、第２画像信号を表示面全体の画素に亘って走査する第２走査動作を実行する。フレーム画像信号よりも低い解像度の画像を表す第１画像信号を用いる第１走査動作は、第２走査動作より短い期間で達成されるので、第２走査動作を行うための期間が適切に確保される。また、第１走査動作によって、液晶パネルの駆動が表示面に亘って早期に開始されるので、特に比較的遅く第２走査動作がなされる表示面の領域におけるクロストークが低減される。
【００５１】
駆動輝度は、表示面の画素に対して第１走査動作が実行される結果、第２走査動作が開始するまでに達成する達成輝度に対する期待値と、フレーム画像信号によって規定される画素に対する目標輝度とに基づき設定される。液晶駆動部は、駆動輝度に向けて、画素に対応する液晶を駆動させる。達成輝度に対する期待値と目標輝度とに応じて、駆動輝度が調整されるので、第１走査動作のための解像度の低減処理が左眼用フレーム画像及び右眼フレーム画像の表示に与える影響が少なくなる。
【発明の効果】
【００５２】
上述の如く、本発明に係る表示装置及び映像視聴システムは、クロストークを抑制することができる。
【図面の簡単な説明】
【００５３】
【図１】第１実施形態に係る映像視聴システム及び表示装置の構成を概略的に示すブロック図である。
【図２】図１に示される映像視聴システムを概略的に示す模式図である。
【図３】図１に示される表示装置の映像信号処理部が実行する平均化処理の概念図である。
【図４】図１に示される表示装置の映像信号処理部が実行する選択処理の概念図である。
【図５】図１に示される表示装置の液晶駆動部による第１走査動作及び第２走査動作を概略的に説明する概念図である。
【図６】オーバードライブ処理の概念図である。
【図７】オーバードライブ処理の１つのパターンを例示する概略的なタイミングチャートである。
【図８】オーバードライブ処理の１つのパターンを例示する概略的なタイミングチャートである。
【図９】映像信号処理部へ入力されるフレーム画像信号が含む輝度データを例示する表である。
【図１０】図９に示されるフレーム画像信号の輝度データの比較タイミングを概略的に示すチャートである。
【図１１】低解像度化処理（平均化処理又は選択処理）とオーバードライブ処理との組み合わせに起因する課題を示すタイミングチャートである。
【図１２】図１に示される表示装置の映像信号処理部が備える概略的な機能構成を示すブロック図である。
【図１３】図１２に示される映像信号処理部の等価部が行う平均化処理又は選択処理に伴う画素の輝度変化を概略的に説明する概念図である。
【図１４】図１２に示される映像信号処理部の第１補正部による第１補正値を決定するための工程を概略的に説明する概念図である。
【図１５】図１２に示される映像信号処理部の第２補正部による第２補正値を決定するための工程を概略的に説明する概念図である。
【図１６】図１２に示される映像信号処理部の信号の出力図である。
【図１７】図１２に示される映像信号処理部が第１走査期間に出力する信号を示すブロック図である。
【図１８】図１２に示される映像信号処理部が第２走査期間に出力する信号を示すブロック図である。
【図１９】図１２に示される映像信号処理部が第１走査期間に出力する信号が含む輝度データを示す概略的なブロック図である。
【図２０】図１２に示される映像信号処理部が第２走査期間に出力する信号が含む輝度データを示す概略的なブロック図である。
【図２１】図１２に示される映像信号処理部の出力部から出力される第１画像信号及び第２画像信号の走査によって得られる画素の輝度変化を概略的に表すタイミングチャートである。
【図２２】第２実施形態に係る映像視聴システム及び表示装置に用いられる映像信号処理部の概略的なブロック図である。
【図２３】図２２に示される映像信号処理部が第１走査期間に出力する信号を示す概略的なブロック図である。
【図２４】図２２に示される映像信号処理部が第２走査期間に出力する信号を示す概略的なブロック図である。
【図２５】画素の位置を考慮しない制御が包含する問題点を説明するためのタイムチャートである。
【図２６】第３実施形態に係る映像視聴システム及び表示装置に用いられる第２補正部が行う第２補正信号の生成工程を概略的に示す概念図である。
【図２７】第３実施形態に係る映像視聴システム及び表示装置の画素の輝度変化を概略的に説明するタイミングチャートである。
【図２８】第４実施形態に係る映像視聴システム及び表示装置に用いられる第２補正部が行う第２補正信号の生成工程を概略的に示す概念図である。
【図２９】第５実施形態に係る映像視聴システム及び表示装置に用いられる映像信号処理部の概略的なブロック図である。
【図３０】図２９に示される映像信号処理部が第２走査期間に出力する信号が含む輝度データを示す概略的なブロック図である。
【図３１】第５実施形態に係る映像視聴システム及び表示装置の画素の輝度変化を概略的に説明するタイミングチャートである。
【図３２】従来の映像視聴システムの構成を概略的に示すブロック図である。
【図３３】従来の映像視聴システムの制御を例示する制御タイミングチャートである。
【図３４】従来の映像視聴システムの制御を例示する制御タイミングチャートである。
【発明を実施するための形態】
【００５４】
以下、本発明の一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本発明はこれらに何ら限定されるものではない。
【００５５】
＜第１実施形態＞
（映像視聴システムの構成）
図１は、第１実施形態に係る映像視聴システムの構成を概略的に示すブロック図である。図２は、図１に示される映像視聴システムを概略的に示す模式図である。図１及び図２を参照しつつ、映像視聴システムの概略的な構成が説明される。
【００５６】
映像視聴システム１００は、左眼で視聴されるように作成された左眼用フレーム画像（以下、Ｌフレーム画像と称される）と、右眼で視聴されるように作成された右眼用フレーム画像（以下、Ｒフレーム画像と称される）とを含むフレーム画像を表示する表示装置２００と、表示装置２００が表示するＬフレーム画像及びＲフレーム画像の視聴を補助する眼鏡装置３００とを備える。眼鏡装置３００は、視聴者が左眼でＬフレーム画像を視聴し、右眼でＲフレーム画像を視聴するように、表示装置２００によるＬフレーム画像及びＲフレーム画像の表示に同期した立体視補助動作を行う。この結果、視聴者は、眼鏡装置３００を通じて、表示装置２００が表示するフレーム画像（Ｌフレーム画像及びＲフレーム画像）を立体的に知覚する（視聴者は、Ｌフレーム画像及びＲフレーム画像中で表現されたオブジェクトを、Ｌフレーム画像及びＲフレーム画像が映し出される表示面に対して、飛び出たように或いは引っ込んだように知覚する）。
【００５７】
視力矯正用の眼鏡と同様の形状をなす眼鏡装置３００は、視聴者の左眼前に配設される左眼シャッタ３１１と、視聴者の右眼前に配設される右眼シャッタ３１２とを含む光学シャッタ部３１０を備える。左眼シャッタ３１１は、表示装置２００がＬフレーム画像を表示しているときに開き、表示装置２００がＲフレーム画像を表示しているときに閉じる。右眼シャッタ３１２は、表示装置２００がＬフレーム画像を表示しているときに閉じ、表示装置２００がＲフレーム画像を表示しているときに開く。表示装置２００がＬフレーム画像を表示しているときに、Ｌフレーム画像から視聴者の左眼へ透過する光路が開かれる一方で、Ｌフレーム画像から視聴者の右眼へ透過する光路が閉じられるので、視聴者は左眼のみでＬフレーム画像を視聴する。同様に、表示装置２００がＲフレーム画像を表示しているときに、Ｒフレーム画像から視聴者の右眼へ透過する光路が開かれる一方で、Ｒフレーム画像から視聴者の左眼へ透過する光路が閉じられるので、視聴者は右眼のみでＲフレーム画像を視聴する。本実施形態において、左眼シャッタ３１１は、左眼フィルタとして例示される。また、右眼シャッタ３１２は、右眼フィルタとして例示される。左眼フィルタ及び右眼フィルタとして、表示装置２００が表示する映像から視聴者の左眼へ到達する光の量（以下、左眼光量と称される）及び視聴者の右眼へ到達する光の量（以下、右眼光量と称される）を調整可能に形成された他の光学素子が用いられてもよい。例えば、左眼フィルタ及び右眼フィルタとして、視聴者の左眼及び右眼へ透過する光を偏光する偏光素子（例えば、液晶フィルタ）や光量を調整可能な他の光学素子が好適に用いられる。左眼フィルタは、Ｌフレーム画像の表示に同期して、左眼光量を増大させる一方で、Ｒフレーム画像の表示に同期して、左眼光量を低減させるように制御される。同様に、右眼フィルタは、Ｒフレーム画像の表示に同期して、右眼光量を増大させる一方で、Ｌフレーム画像の表示に同期して、右眼光量を低減させるように制御される。
【００５８】
表示装置２００は、映像信号処理部２１０、液晶駆動部２２０、表示部２３０、第１制御部２５０、第２制御部２４０を備える。
【００５９】
映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に制御信号を出力する。
【００６０】
表示部２３０は、バックライト２３２を備える。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学シャッタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００６１】
以下の説明において、Ｌ信号に含まれる一の垂直同期信号と、該一の垂直同期信号に続いて入力される後の垂直同期信号との間の映像情報を含む映像信号は、Ｌフレーム画像信号と称される。また、Ｒ信号に含まれる一の垂直同期信号と、該一の垂直同期信号に続いて入力される後の垂直同期信号との間の映像情報を含む映像信号は、以下の説明において、Ｒフレーム画像信号と称される。Ｌフレーム画像信号は、Ｌフレーム画像を表現するために用いられる。同様に、Ｒフレーム画像信号は、Ｒフレーム画像を表現するために用いられる。本実施形態において、Ｌフレーム画像信号及び／又はＲフレーム画像信号は、フレーム画像信号として例示される。
【００６２】
表示部２３０は、上述のバックライト２３２に加えて、液晶を用いてＬフレーム画像とＲフレーム画像とを時間的に交互に切り換えて表示する液晶パネル２３１を備える。バックライト２３２は、映像信号処理部２１０からの制御信号に基づき、液晶パネル２３１に光を照射する。液晶駆動部２２０は、主走査方向及び副走査方向にフレーム画像信号（Ｌフレーム画像信号又はＲフレーム画像信号）を走査し、液晶パネル２３１の液晶を駆動する。図２に示されるように、液晶パネル２３１の幅方向は、フレーム画像信号の主走査方向として例示される。液晶パネル２３１の上下方向は、フレーム画像信号の副走査方向として例示される。以下の説明において、フレーム画像の表示に用いられる副走査方向の区間（液晶パネル２３１の上端縁から下端縁までの区間）は、副走査区間Ｓと称される。液晶駆動部２２０は、Ｌフレーム画像信号とＲフレーム画像信号とを交互に走査する。この結果、液晶パネル２３１にＬフレーム画像及びＲフレーム画像が時間的に交互に表示される。
【００６３】
映像信号処理部２１０は、１つのＬフレーム画像に対応して、第１画像信号と、第１画像信号に後続する第２画像信号とを液晶駆動部２２０へ出力する。同様に、映像信号処理部２１０は、１つのＲフレーム画像に対応して、第１画像信号と、第１画像信号に後続する第２画像信号とを液晶駆動部２２０へ出力する。第１画像信号は、映像信号処理部２１０に入力されたフレーム画像信号（Ｌフレーム画像信号及びＲフレーム画像信号）より低い解像度の画像を表す。第２画像信号は、第１画像信号よりも高い解像度の画像を表す。本実施形態において、フレーム画像信号を第１画像信号と第２画像信号とに変換する映像信号処理部２１０は、変換部として例示される。
【００６４】
第１画像信号及び第２画像信号は、液晶駆動部２２０にそれぞれ入力される。液晶駆動部２２０は、第１画像信号に基づき、液晶パネル２３１の表示面に亘って液晶を駆動させる第１走査動作と、第２画像信号に基づき、液晶パネル２３１の表示面に亘って液晶を駆動させる第２走査動作と、を実行する。尚、第２走査動作は、第１走査動作の後に実行される。上述の如く、第１画像信号は、比較的低い解像度の画像を表すので、液晶駆動部２２０は、第１走査動作を第２走査動作よりも短期間で実行することができる。この結果、第１走査動作が実行された後であっても、左眼シャッタ３１１が開く前又は右眼シャッタ３１２が閉じる前に実行される第２走査動作のための十分に長い時間が確保されることとなる。
【００６５】
液晶駆動部２２０は、第１画像信号及び第２画像信号に含まれる垂直同期信号及び水平同期信号にしたがって、第１画像信号及び第２画像信号を、液晶パネル２３１が表示可能な形式に変換する。液晶駆動部２２０は、液晶パネル２３１上のフレーム画像の表示ごとに変換された第１画像信号及び第２画像信号のフレーム画像信号を用いて、第１走査動作と第２走査動作とをそれぞれ実行する。
【００６６】
上述の液晶駆動部２２０による液晶の駆動によって、液晶パネル２３１は、入力された第１画像信号と第２画像信号とに応じて、背面から入射する光を変調する。この結果、液晶パネル２３１は、左眼で視聴されるように作成されたＬフレーム画像と、右眼で視聴されるように作成されたＲフレーム画像とを交互に表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００６７】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００６８】
第１制御部２５０は、映像信号処理部２１０から出力された１２０Ｈｚの制御信号を基準に発光制御信号を出力する。バックライト２３２は、発光制御信号に基づき明滅可能である。
【００６９】
第２制御部２４０は、眼鏡装置３００の光学シャッタ部３１０を、Ｌフレーム画像及びＲフレーム画像の表示周期に合わせて制御する。第２制御部２４０は、左眼シャッタ３１１を制御するための左眼用のフィルタ制御部２４１（以下、Ｌフィルタ制御部２４１と称される）と、右眼シャッタ３１２を制御するための右眼用のフィルタ制御部２４２（以下、Ｒフィルタ制御部２４２と称される）とを備える。液晶パネル２３１がＬフレーム画像及びＲフレーム画像を、例えば、１２０Ｈｚで交互に表示するとき、Ｌフィルタ制御部２４１は、左眼シャッタ３１１が６０Ｈｚの周期で左眼光量を調整する（増減させる）ように眼鏡装置３００を制御する。同様に、Ｒフィルタ制御部２４２は、右眼シャッタ３１２が６０Ｈｚの周期で右眼光量を調整する（増減させる）ように眼鏡装置３００を制御する。
【００７０】
図２に示される如く、本実施形態において、表示装置２００は、Ｌフレーム画像の表示に同期する第１同期信号を送信する第１送信部２４３と、Ｒフレーム画像の表示に同期する第２同期信号を送信する第２送信部２４４とを備える。また、眼鏡装置３００は、左眼シャッタ３１１と右眼シャッタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼シャッタ３１１を動作させる。また、眼鏡装置３００は、第２同期信号に基づき、右眼シャッタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、左眼用映像の表示及び右眼用映像の表示は、共通化された同期信号の立ち上がりに交互に同期されてもよい。
【００７１】
Ｌフィルタ制御部２４１及びＲフィルタ制御部２４２は、映像信号処理部２１０からの制御信号を基準とし、左眼シャッタ３１１による左眼光量の増減周期の位相及び右眼シャッタ３１２による右眼光量の増減周期の位相を決定する。Ｌフィルタ制御部２４１及びＲフィルタ制御部２４２は、決定された位相に従い、第１同期信号及び第２同期信号を出力する。左眼シャッタ３１１及び右眼シャッタ３１２それぞれは、第１同期信号及び第２同期信号に基づき、Ｌフレーム画像の表示及びＲフレーム画像の表示に同期して、左眼光量及び右眼光量を増減させる。
【００７２】
第２制御部２４０は、液晶パネル２３１の応答特性並びに表示されるＬフレーム画像とＲフレーム画像との間のクロストーク（相互干渉）を考慮して、左眼シャッタ３１１及び右眼シャッタ３１２それぞれが左眼光量及び右眼光量を増大させている期間（以下、光量増大期間と称される）の長さと、光量増大期間のタイミング（位相）を決定する。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。
【００７３】
映像信号処理部２１０の１２０Ｈｚの制御信号に基づき動作する第１制御部２５０は、左眼シャッタ３１１及び右眼シャッタ３１２による光量調整の動作に同期してバックライト２３２を発光させる発光制御信号を出力する。バックライト２３２は、発光制御信号に基づき、明滅することができる。尚、本実施形態において、バックライト２３２は、第１制御部２５０の制御下で、常時点灯している。したがって、視聴者がフレーム画像を視聴することができる視聴期間のタイミング及び長さは、眼鏡装置３００の光学シャッタ部３１０の動作によって定められる。
【００７４】
代替的に、第１制御部２５０は、第２制御部２４０によって調整される光量増大期間中の一部の期間或いは光量増大期間と略一致する期間において、バックライト２３２を点灯させ、他の期間においてバックライト２３２を消灯させてもよい。このような第１制御部２５０によるバックライト２３２の明滅制御下において、視聴者がフレーム画像を視聴することができる視聴期間のタイミング及び長さは、バックライト２３２の明滅動作によって定められる。
【００７５】
（フレーム画像信号から第１画像信号への変換手法）
図３及び図４は、液晶パネル２３１の一部を概略的に示す模式図である。図１、図３及び図４を用いて、フレーム画像信号から第１画像信号への変換が概略的に説明される。
【００７６】
液晶パネル２３１は、主走査方向に延びる複数のゲート線と、副走査方向に延びる複数のデータ線と、を含む。図３には、副走査方向に整列したゲート線Ｌ１乃至Ｌ１６及び主走査方向に整列したデータ線Ｍ１乃至Ｍ３２が示されている。各ゲート線Ｌ１乃至Ｌ１６と各データ線Ｍ１乃至Ｍ３２との交点には、画素Ｐ及び画素Ｐに対応する液晶（図示せず）がそれぞれ割り当てられる。各ゲート線Ｌ１乃至Ｌ１６と各データ線Ｍ１乃至Ｍ３２とに印加される電圧に応じて、液晶の駆動量が定められる。
【００７７】
本実施形態において、映像信号処理部２１０は、ゲート線Ｌ２ｔ−１に沿って配列された画素Ｐ２ｔ−１及びゲート線Ｌ２ｔに沿って配列された画素Ｐ２ｔが等しい輝度となるように第１画像信号を生成する（ｔは、自然数）。第１走査動作時において、ゲート線Ｌ１とデータ線Ｍ１との交点に配設された画素Ｐ（Ｌ１，Ｍ１）の輝度及びゲート線Ｌ２とデータ線Ｍ１との交点に配設された画素Ｐ（Ｌ２，Ｍ１）の輝度が等しくなるように、これら画素Ｐ（Ｌ１，Ｍ１），Ｐ（Ｌ２，Ｍ１）にそれぞれ対応する液晶が駆動される。同様に、第１走査動作時において、ゲート線Ｌ１５とデータ線Ｍ１７との交点に配設された画素Ｐ（Ｌ１５，Ｍ１７）の輝度及びゲート線Ｌ１６とデータ線Ｍ１７との交点に配設された画素Ｐ（Ｌ１６，Ｍ１７）の輝度が等しくなるように、これら画素Ｐ（Ｌ１５，Ｍ１７），Ｐ（Ｌ１６，Ｍ１７）にそれぞれ対応する液晶が駆動される。同様に、第１走査動作時において、ゲート線Ｌ７とデータ線Ｍ３２との交点に配設された画素Ｐ（Ｌ７，Ｍ３２）の輝度及びゲート線Ｌ８とデータ線Ｍ３２との交点に配設された画素Ｐ（Ｌ８，Ｍ３２）の輝度が等しくなるように、これら画素Ｐ（Ｌ７，Ｍ３２），Ｐ（Ｌ８，Ｍ３２）にそれぞれ対応する液晶が駆動される。かくして、第１走査動作において、液晶パネル２３１の表示面に配設された任意の画素の輝度と、該任意の画素に対して副走査方向に整列した他の画素の輝度とが等しくなるように、これら画素対応する液晶が駆動される。本実施形態において、輝度が等しくなるように駆動される液晶に対応する画素の組は、画素グループとして例示される。
【００７８】
図３に示されるフレーム画像信号から第１画像信号への変換は、フレーム画像の輝度の平均化に基づく。フレーム画像信号は、表現されるフレーム画像に従い、画素Ｐそれぞれに対する輝度を定める。したがって、映像信号処理部２１０に入力されたフレーム画像信号が、例えば、画素Ｐ（Ｌ１，Ｍ１）に対して定める輝度Ｂ（Ｌ１，Ｍ１）は、画素Ｐ（Ｌ２，Ｍ１）に対して定める輝度Ｂ（Ｌ２，Ｍ１）と異なることもある。映像信号処理部２１０は、輝度Ｂ（Ｌ１，Ｍ１）と輝度Ｂ（Ｌ２，Ｍ１）とを平均化し、画素Ｐ（Ｌ１，Ｍ１）及び画素Ｐ（Ｌ２，Ｍ１）に対してそれぞれ等しい輝度を設定する。
【００７９】
図４に示されるフレーム画像信号から第１画像信号への変換は、フレーム画像の輝度の選択に基づく。映像信号処理部２１０は、例えば、輝度Ｂ（Ｌ１，Ｍ１）と輝度Ｂ（Ｌ２，Ｍ１）のうち一方の輝度を選択する。映像信号処理部２１０は、その後、選択された輝度に基づき、画素Ｐ（Ｌ１，Ｍ１）及び画素Ｐ（Ｌ２，Ｍ１）に対してそれぞれ等しい輝度を設定する。例えば、一組として取り扱われるゲート線から予め選択された１つのゲート線に沿って整列した画素に対して、フレーム画像信号によってそれぞれ割り当てられた輝度が、他のゲート線に沿って整列した画素にそれぞれ対応して設定されてもよい。例えば、フレーム画像信号がゲート線Ｌ１に沿って整列した画素に対してそれぞれ割り当てた輝度が、ゲート線Ｌ２に沿って整列した画素に対しても設定される。代替的に、映像信号処理部２１０は、フレーム画像信号が２つの画素（例えば、画素Ｐ（Ｌ１，Ｍ１）及び画素（Ｌ２，Ｍ１））に対して定めた輝度（例えば、上述の輝度Ｂ（Ｌ１，Ｍ１）及び輝度Ｂ（Ｌ２，Ｍ１））のうち大きい方或いは小さい方を選択し、両画素に選択された輝度を設定するように第１画像信号を生成してもよい。更に代替的に、映像信号処理部２１０は、他の適切な基準に基づき、第１画像信号を生成するための輝度を選択してもよい。
【００８０】
本実施形態において、副走査方向に隣接して整列した２つの画素からなる組に対して、上述の平均化処理或いは選択処理がなされる。代替的に、副走査方向に整列した２を超える数の画素からなる組に対して、上述の平均化処理或いは選択処理がなされてもよい。
【００８１】
（第１走査動作と第２走査動作）
図５は、液晶駆動部２２０が行う走査動作を示す概略的なグラフである。図５（ａ）は、第１画像信号に基づく、第１走査動作を示す。図５（ｂ）は、第２画像信号に基づく、第２走査動作を示す。図５は、ゲート線Ｌ１乃至Ｌ１２までの走査動作を示す。図５（ａ）及び図５（ｂ）の横軸は、ゲート線Ｌ１乃至Ｌ１２までの走査動作を行っている時間軸である。図５（ａ）及び図５（ｂ）の縦軸は、液晶パネル２３１の副走査方向に位置を表す。図１、図３乃至図５を用いて、第１走査動作及び第２走査動作が説明される。
【００８２】
第１画像信号は、図３及び図４に関連して説明された平均化処理或いは選択処理によって、副走査方向に整列した画素の輝度を等しくする。本実施形態において、ゲート線Ｌ２ｔ−１，Ｌ２ｔ上の副走査方向に整列した画素の輝度は等しく設定される（ｔは、自然数）。したがって、液晶駆動部２２０は、ゲート線Ｌ２ｔ−１，Ｌ２ｔ上に同時に第１画像信号を書き込むことができる。この結果、ゲート線Ｌ２ｔ−１，Ｌ２ｔ上の画素に対応する液晶は、同時に駆動される。
【００８３】
第２画像信号は、後述されるオーバードライブ処理を施されたフレーム画像信号（Ｌフレーム画像信号及びＲフレーム画像信号）に基づいて生成される。オーバードライブ処理は、上述の平均化処理或いは選択処理のように、２つの画素の輝度を等しくするための処理ではないので、液晶駆動部２２０は、ゲート線Ｌ１から順次書き込みを行う。
【００８４】
本実施形態において、第１走査動作を行う液晶駆動部２２０は、２つのゲート線Ｌ２ｔ−１，Ｌ２ｔの組に同時に第１画像信号の書き込みを行うので、ゲート線Ｌ１２までの書き込みを完了するまでの第１走査動作の期間Ｔ１は、ゲート線Ｌ１２までの書き込みを完了するまでの第２走査動作の期間Ｔ２の半分となる。比較的短期間で行われる第１走査動作によって、液晶パネル２３１の液晶の駆動が表示面全体に亘って早期に開始されるので、表示面下部領域におけるクロストークが低減される。
【００８５】
（オーバードライブ処理の原理）
液晶パネルの画素の輝度を目標とする輝度（フレーム画像信号によって規定される画素に対する輝度）に到達させるための手法として、オーバードライブ処理が挙げられる。
【００８６】
図６は、オーバードライブ処理の原理を説明する概略的なタイミングチャートである。図６を用いて、オーバードライブ処理が説明される。
【００８７】
液晶パネルには、Ｌフレーム画像及びＲフレーム画像が交互に表示される。図６のセクション（Ａ）には、Ｌフレーム画像の表示のための左眼期間と、Ｒフレーム画像の表示のための右眼期間とが示されている。以下の説明において、右眼期間におけるオーバードライブ処理が説明される。尚、右眼期間において実行されたオーバードライブ処理の原理は、左眼期間に対して同様に適用される。
【００８８】
図６のセクション（Ｂ）に示される如く、左眼期間において、Ｌフレーム画像信号の第１走査動作及び第２走査動作が行われる。また、右眼期間において、Ｒフレーム画像信号の第１走査動作及び第２走査動作が行われる。
【００８９】
図６のセクション（Ｃ）は、光学シャッタ部の開閉動作を示す。左眼シャッタは、右眼期間の開始タイミングの直前に開く。また、右眼シャッタは、左眼期間の開始タイミングの直前に開く。
【００９０】
図６のセクション（Ｄ）は、液晶パネルの特定の画素の輝度の変化を示す。以下の説明において、Ｌフレーム画像信号は、「１００」の目標輝度を規定している。また、Ｒフレーム画像信号は、「３０」の目標輝度を規定している。
【００９１】
右眼期間において、映像信号処理部は、Ｌフレーム画像信号が規定する輝度と、Ｒフレーム画像信号が規定する輝度と、を比較する。この結果、映像信号処理部は、画素の輝度が「１００」から「３０」へ低減させる必要があることを判定する。映像信号処理部は、Ｒフレーム画像信号が規定する目標輝度「３０」に画素の輝度を早く到達させるために、Ｒフレーム画像信号が規定する目標輝度「３０」を下回る「０」の輝度を規定する第１走査動作用の駆動信号を出力する。液晶駆動部は、「０」の輝度を規定する駆動信号に基づき、液晶を駆動させる。この結果、画素の輝度は、第１走査動作によって、Ｒフレーム画像信号が規定する目標輝度「３０」に大幅に近づくことができる。
【００９２】
右眼シャッタが開くタイミングに合わせて、画素の輝度が目標輝度「３０」に到達するように、映像信号処理部は、Ｒフレーム画像信号が規定した目標輝度「３０」と第１走査動作用の駆動信号が規定した輝度「０」との間に設定された輝度を規定する第２走査動作用の駆動信号を出力する。図６において、第２走査動作用の駆動信号は、「１５」の輝度を規定している。この結果、第２走査動作が行われている間、画素の輝度の変化率は徐々に減少し、目標輝度「３０」に近づく。右眼シャッタが開いている間、視聴者は、目標輝度に等しい或いは目標輝度に近づけられた輝度の画素を右眼で知覚することができる。
【００９３】
図７は、Ｌフレーム画像信号が規定する輝度とＲフレーム画像信号が規定する輝度との差異が比較的小さいときのオーバードライブ処理を概略的に示すタイミングチャートである。図８は、Ｌフレーム画像信号が規定する輝度とＲフレーム画像信号が規定する輝度との差異が比較的大きいときのオーバードライブ処理を概略的に示すタイミングチャートである。図６に示されるＬフレーム画像信号とＲフレーム画像信号との間の輝度差は、図７及び図８に示される輝度差の間に設定されている。図６乃至図８を用いて、オーバードライブ処理が更に説明される。
【００９４】
図７及び図８のセクション（Ａ）には、図６と同様に、Ｌフレーム画像の表示のための左眼期間と、Ｒフレーム画像の表示のための右眼期間とが示されている。以下の説明において、右眼期間におけるオーバードライブ処理が説明される。尚、右眼期間において実行されたオーバードライブ処理の原理は、左眼期間に対して同様に適用される。
【００９５】
図７及び図８のセクション（Ｂ）には、第１走査動作及び第２走査動作が示される。左眼期間において、Ｌフレーム画像信号の第１走査動作及び第２走査動作が行われる。また、右眼期間において、Ｒフレーム画像信号の第１走査動作及び第２走査動作が行われる。
【００９６】
図７及び図８のセクション（Ｃ）は、光学シャッタ部の開閉動作を示す。左眼シャッタは、右眼期間の開始タイミングの直前に開く。また、右眼シャッタは、左眼期間の開始タイミングの直前に開く。
【００９７】
図７及び図８のセクション（Ｄ）は、液晶パネルの特定の画素の輝度の変化を示す。以下の説明において、Ｌフレーム画像信号は、「１００」の目標輝度を規定している。
【００９８】
図７に示される如く、先行するＬフレーム画像信号が「１００」の目標輝度を表し、後続のＲフレーム画像信号が「５０」の目標輝度を表しているならば、映像信号処理部は、第１走査動作用の駆動信号に対してオーバードライブ処理を行い、Ｒフレーム画像信号が規定する「５０」の目標輝度を下回る輝度を設定する（図７には、「３０」の設定輝度が示されている）。この結果、第１走査動作によって、画素の輝度は、Ｒフレーム画像信号が規定する「５０」の目標輝度に略到達する。その後行われる第２走査動作時に用いられる駆動信号に対しては、映像信号処理部は、オーバードライブ処理を行わない。したがって、映像信号処理部は、Ｒフレーム画像信号が規定する「５０」の目標輝度と等しい輝度を規定する第２走査動作用の駆動信号を出力する。この結果、右眼シャッタが開くと、視聴者は、略目標輝度の明るさの画素を知覚することができる。
【００９９】
図６に関連して説明された如く、先行するＬフレーム画像が「１００」の目標輝度を表し、後続のＲフレーム画像信号が「３０」の目標輝度を表しているならば、映像信号処理部は、第１走査動作用の駆動信号及び第２走査動作用の駆動信号それぞれにオーバードライブ処理を行う。上述の如く、オーバードライブ処理を施された第１走査動作用の駆動信号は、Ｒフレーム画像信号が規定する「３０」の目標輝度を下回る「０」の輝度を規定する。オーバードライブ処理を施された第１走査動作用の駆動信号は、Ｒフレーム画像信号が規定する「３０」の目標輝度を下回る「１５」の輝度を規定する。この結果、右眼シャッタが開くと、視聴者は、略目標輝度の明るさの画素を知覚することができる。
【０１００】
図８に示される如く、先行するＬフレーム画像信号が「１００」の目標輝度を表し、後続のＲフレーム画像信号が「１０」の目標輝度を表しているならば、映像信号処理部は、第１走査動作用及び第２走査動作用の駆動信号に対してオーバードライブ処理を行い、Ｒフレーム画像信号が規定する「１０」の目標輝度を下回る輝度を設定する。Ｌフレーム画像信号の目標輝度とＲフレーム画像の目標輝度との差異が過度に大きいならば、Ｒフレーム画像信号が規定する目標輝度に対して最大限の差異を設けた輝度を第１走査動作時及び第２走査動作時に設定しても、画素の輝度は、目標輝度に到達しない。したがって、映像信号処理部は、第１走査動作用の駆動信号及び第２走査動作用の駆動信号が規定する輝度をともに「０」の値に設定する。この結果、右眼シャッタが開いたとき、視聴者は、目標輝度に最大限近づけられた輝度の画素を知覚することができる。
【０１０１】
（低解像度化とオーバードライブ処理とから派生する課題）
図３及び図４に関連して説明された平均化処理或いは選択処理は、映像信号処理部へ入力されたフレーム画像信号が表すフレーム画像よりも低い解像度のフレーム画像を表す第１画像信号の生成に貢献する。第１画像信号の生成によって、図５に関連して説明された比較的短期間の第１走査動作が達成される。この結果、液晶パネル全体に亘る液晶の駆動の開始が早められ、クロストークが低減される。液晶パネル全体に亘る液晶の駆動の開始タイミングを早める平均化処理或いは選択処理と異なり、オーバードライブ処理は、個別の画素に対応する液晶の駆動を加速し、クロストークの低減に貢献する。平均化処理／選択処理とオーバードライブ処理との組み合わせは、更なるクロストークの低減に寄与すると期待されるが、これらの処理の組み合わせは、新たな課題を招来する。
【０１０２】
図９は、映像信号処理部へ入力されるフレーム画像信号が示す輝度を例示する。図３、図４及び図９を用いて、平均化処理／選択処理とオーバードライブ処理との組み合わせが招来する課題が説明される。
【０１０３】
図９には、特定のデータ線Ｍｓに沿って整列した画素に割り当てられた輝度を示す。図９の上側の表は、映像信号処理部に入力されたＬフレーム画像及びＲフレーム画像が規定する輝度を示す。図９の下側の表は、図４に関連して説明された選択処理後の駆動信号が規定する輝度を示す。
【０１０４】
映像信号処理部に入力されたＬフレーム画像信号は、奇数番号のゲート線Ｌ１，Ｌ３，・・・，Ｌ２ｔ−１（ｔは自然数）上の画素に対して、「４０」の輝度を規定し、偶数番号のゲート線Ｌ２，Ｌ４，・・・，Ｌ２ｔ（ｔは自然数）上の画素に対して、「６０」の輝度を規定している。映像信号処理部に入力されたＲフレーム画像信号は、奇数番号のゲート線Ｌ１，Ｌ３，・・・，Ｌ２ｔ−１（ｔは自然数）上の画素に対して、「８０」の輝度を規定し、偶数番号のゲート線Ｌ２，Ｌ４，・・・，Ｌ２ｔ（ｔは自然数）上の画素に対して、「６０」の輝度を規定している。尚、ゲート線Ｌ１は、液晶パネルの上部（即ち、走査動作が先に行われる位置）に配設され、ゲート線Ｌ２ｔは、液晶パネルの下部（即ち、走査動作が後に行われる位置）に配設されている。ゲート線Ｌに付された番号が大きくなるにつれて、画素に対応する液晶の駆動は遅れていく。
【０１０５】
映像信号処理部は、例えば、奇数番号のゲート線Ｌ１，Ｌ３，・・・，Ｌ２ｔ−１（ｔは自然数）上の画素に割り当てられた輝度を基準に選択処理を行う。この結果、偶数番号のゲート線Ｌ２，Ｌ４，・・・，Ｌ２ｔ（ｔは自然数）上の画素は、奇数番号のゲート線Ｌ１，Ｌ３，・・・，Ｌ２ｔ−１（ｔは自然数）上の画素に割り当てられた輝度それぞれに等しくされる。この結果、選択処理後のＬフレーム画像信号は、データ線Ｍｓ上の画素全てに対して、「４０」の輝度を規定する。また、選択処理後のＲフレーム画像信号は、データ線Ｍｓ上の画素全てに対して、「８０」の輝度を規定する。
【０１０６】
以下の説明において、選択処理前のＬフレーム画像信号は、「信号ＡＬ」と称される。選択処理後のＬフレーム画像信号は、「信号ＢＬ」と称される。選択処理前のＲフレーム画像信号は、「信号ＡＲ」と称される。選択処理後のＲフレーム画像信号は、「信号ＢＲ」と称される。
【０１０７】
図１０は、平均化処理／選択処理とオーバードライブ処理とを用いた信号処理を概略的に例示する模式図である。図５乃至図１０を用いて、平均化処理／選択処理とオーバードライブ処理とを用いた信号処理が説明される。
【０１０８】
図１０に示されるように、Ｌフレーム画像を表示するための左眼期間及びＲフレーム画像を表示するための右眼期間が交互に設定される。左眼期間は、図５に関連して説明された第１走査動作を実行するための第１走査期間と、第１走査期間の後に行われる第２走査動作を実行するための第２走査期間と、左眼シャッタが開かれる左開期間と、を含む。左開期間は、第２走査期間の終了後且つ右眼期間の開始前に設定される。同様に、右眼期間は、図５に関連して説明された第１走査動作を実行するための第１走査期間と、第１走査期間の後に行われる第２走査動作を実行するための第２走査期間と、右眼シャッタが開かれる右開期間と、を含む。右開期間は、第２走査期間の終了後且つ左眼期間の開始前に設定される。
【０１０９】
図６乃至図８に関連して説明された如く、オーバードライブ処理は、先行するフレーム画像信号が規定する輝度と、後続のフレーム画像信号が規定する輝度との比較に基づく。したがって、オーバードライブ処理は、例えば、フレーム画像信号の遅延処理を伴って実行される。
【０１１０】
図１０に示される「Ｎ番目」のＲフレーム画像を表示するための右眼期間の第１走査期間において、「Ｎ番目」のＲフレーム画像を表示するための信号ＡＲに対する選択処理に基づき生成された信号ＢＲは、直前の「Ｎ番目」のＬフレーム画像を表示するための左眼表示期間で用いられた信号ＢＬと比較され、オーバードライブ処理に基づく輝度が決定される。
【０１１１】
「Ｎ番目」のＲフレーム画像を表示するための右眼期間の第２走査期間において、「Ｎ番目」のＲフレーム画像を表示するための信号ＡＲは、直前の「Ｎ番目」のＬフレーム画像を表示するための左眼表示期間で用いられた信号ＡＬと比較され、オーバードライブ処理に基づく輝度が決定される。
【０１１２】
図１１は、図１０に関連して説明された信号処理に基づく画素の輝度の変化を表す概略的なタイムチャートである。図３乃至図１１を用いて、平均化処理／選択処理とオーバードライブ処理との組み合わせが招来する課題が更に説明される。
【０１１３】
図１１のセクション（Ａ）には、Ｌフレーム画像の表示のための左眼期間と、Ｒフレーム画像の表示のための右眼期間とが示されている。以下の説明において、右眼期間における画素の輝度変化が説明される。
【０１１４】
図１１のセクション（Ｂ）には、第１走査動作及び第２走査動作が示される。左眼期間において、Ｌフレーム画像信号の第１走査動作及び第２走査動作が行われる。また、右眼期間において、Ｒフレーム画像信号の第１走査動作及び第２走査動作が行われる。第１走査動作を行うために、映像信号処理部は、図３及び図４に関連して説明された平均化処理又は選択処理を行うとともに、図６乃至図８に関連して説明されたオーバードライブ処理を行う。
【０１１５】
図１１のセクション（Ｃ）は、光学シャッタ部の開閉動作を示す。左眼シャッタは、第２走査動作の完了後、且つ、右眼期間が開始される前までの期間において開く。また、右眼シャッタは、第２走査動作の完了後、且つ、左眼期間が開始される前までの期間において開く。
【０１１６】
図１１のセクション（Ｄ）は、ゲート線Ｌ１とデータ線Ｍｓとの交点に位置する画素の輝度の変化を表す。図１１のセクション（Ｅ）は、ゲート線Ｌ２とデータ線Ｍｓとの交点に位置する画素の輝度の変化を表す。
【０１１７】
図１０に関連して説明された如く、映像信号処理部は、Ｎ番目のＲフレーム画像を表示するために生成された信号ＢＲと、直前のＬフレーム画像を表示するために生成された信号ＢＬと、を比較し、Ｎ番目のＲフレーム画像を表示するための右眼期間の第１走査動作に用いられる駆動信号が規定する輝度を決定する。図９に示される表に従うと、データ線Ｍｓ上の画素全てに対して、信号ＢＲは、「８０」の輝度を示し、信号ＢＬは、「４０」の輝度を示している。映像信号処理部は、データ線Ｍｓ上の画素の輝度を「４０」から「８０」へ増加させる必要があると判定し、オーバードライブ処理を行う。オーバードライブ処理の結果、第１走査動作が行われるときの駆動輝度は、「８５」に設定される。
【０１１８】
第１走査動作の結果、奇数番号のゲート線Ｌ１，Ｌ３，・・・，Ｌ２ｔ−１（ｔは自然数）上の画素は、先行の信号ＡＬが規定した輝度「４０」から駆動輝度「８５」に向けて駆動される。ゲート線Ｌ１とデータ線Ｍｓとの交点に位置する画素の輝度は、第２走査動作が開始するまでに、「７５」の輝度に到達する。偶数番号のゲート線Ｌ２，Ｌ４，・・・，Ｌ２ｔ（ｔは自然数）上の画素は、先行の信号ＡＲが規定した輝度「６０」から駆動輝度「８５」に向けて駆動される。ゲート線Ｌ２とデータ線Ｍｓとの交点に位置する画素の輝度は、第２走査動作が開始するまでに、「７５」の輝度に到達する。
【０１１９】
第２走査期間において、映像信号処理部は、信号ＡＬ及び信号ＡＲを参照し、オーバードライブ処理の要否を決定する。例えば、映像信号処理部は、第１走査動作におけるオーバードライブ処理に基づき、奇数番号のゲート線Ｌ１，Ｌ３，・・・，Ｌ２ｔ−１（ｔは自然数）上の画素の輝度は、第１走査動作によって十分に目標輝度に近づけられていると判定する。また、偶数番号のゲート線Ｌ２，Ｌ４，・・・，Ｌ２ｔ（ｔは自然数）上の画素に対して信号ＡＬが規定する輝度と信号ＡＲが規定する輝度の差異が小さい（図９に示される輝度差は「０」である）ので、映像信号処理部は、オーバードライブ処理が不要であると判定する。この結果、映像信号処理部は、奇数番号のゲート線Ｌ１，Ｌ３，・・・，Ｌ２ｔ−１（ｔは自然数）上の画素に対して、Ｒフレーム画像信号が規定する「８０」の輝度を設定する駆動信号を生成する。第２走査動作が開始されるとき、奇数番号のゲート線Ｌ１，Ｌ３，・・・，Ｌ２ｔ−１（ｔは自然数）上の画素の輝度は、Ｒフレーム画像信号が規定する「８０」の輝度に十分に近づけられているので、右眼シャッタが開かれると、視聴者は、Ｒフレーム画像信号が規定する「８０」の輝度の画素を知覚することができる。映像信号処理部は、偶数番号のゲート線Ｌ２，Ｌ４，・・・，Ｌ２ｔ（ｔは自然数）上の画素に対して、Ｒフレーム画像信号が規定する「６０」の輝度を設定する駆動信号を生成する。偶数番号のゲート線Ｌ２，Ｌ４，・・・，Ｌ２ｔ（ｔは自然数）上の画素の輝度は、上述の選択処理並びに奇数番号のゲート線Ｌ１，Ｌ３，・・・，Ｌ２ｔ−１（ｔは自然数）上の画素に連動したオーバードライブ処理によって、第２走査動作の開始時において、「６０」の目標輝度から大幅に離れている。したがって、「６０」の輝度を設定する駆動信号に基づく液晶の駆動では、偶数番号のゲート線Ｌ２，Ｌ４，・・・，Ｌ２ｔ（ｔは自然数）上の画素の輝度は、右眼シャッタが開くタイミングにおいて、「６０」の目標輝度に到達しない。目標輝度「６０」と図１１のセクション（Ｅ）の実線で示される達成輝度との差異は、視聴者にクロストークとして知覚される。
【０１２０】
上述の如く、平均化処理或いは選択処理といったフレーム画像信号の低解像度化は、第１走査動作の実行期間を短縮させる一方で、画素の輝度の不必要な変動を潜在的に生じさせる。加えて、オーバードライブ処理は、不必要な輝度の変動を潜在的に増大させる。したがって、フレーム画像信号の低解像度化とオーバードライブ処理との単純な組み合わせは、クロストークの発生を促す結果となる。
【０１２１】
（映像信号処理部）
図１２は、本実施形態に従う表示装置２００の映像信号処理部２１０の機能構成を概略的に示すブロック図である。映像信号処理部２１０は、クロストークの発生を促すことなく、フレーム画像信号の低解像度化とオーバードライブ処理とを行うように形成される。図１及び図１２を用いて、映像信号処理部２１０が説明される。
【０１２２】
映像信号処理部２１０は、第１等価部２１１、第１選択部２１２、第１遅延部２１３、第２等価部２１４、第２遅延部２１５、第３遅延部２１６、第１補正部２１７、第２補正部２１８、第２選択部２１９及び出力部２２１を備える。
【０１２３】
フレーム画像信号（Ｌフレーム画像信号及びＲフレーム画像信号）は、第１等価部２１１、第１遅延部２１３及び第１選択部２１２に入力される。第１遅延部２１３は、１フレーム分だけ、入力されたフレーム画像信号を遅延させ、第２等価部２１４へ出力する。第１遅延部２１３は、例えば、Ｌフレーム画像信号が入力されると、先行して入力されたＲフレーム画像信号を第２等価部２１４へ出力する。同様に、第１遅延部２１３は、Ｒフレーム画像信号が入力されると、先行して入力されたＬフレーム画像信号を第２等価部２１４へ出力する。
【０１２４】
図１３は、第１等価部２１１及び第２等価部２１４が行う等価処理（平均化処理，選択処理）を概略的に示す。図１２及び図１３を用いて、第１等価部２１１及び第２等価部２１４が説明される。
【０１２５】
図１３は、２つのデータ線Ｍ１，Ｍ２と、４つのゲート線Ｌ１乃至Ｌ４と、データ線Ｍ１，Ｍ２とゲート線Ｌ１乃至Ｌ４との交点それぞれに対応する画素Ｐ１乃至Ｐ８と、を示す。画素Ｐ１乃至Ｐ４は、副走査方向に延びるデータ線Ｍ１に沿って整列される。画素Ｐ５乃至Ｐ８は、副走査方向に延びるデータ線Ｍ２に沿って整列される。
【０１２６】
フレーム画像信号は、画素Ｐ１乃至Ｐ８の輝度を規定する輝度データを含む。第１等価部２１１及び第２等価部２１４は、データ線それぞれに対応して、輝度データを複数のグループに分ける。各データグループには、複数の画素に対応する輝度の値が含まれる。かくして、副走査方向に整列した複数の画素に対応するデータグループが設定される。図１３において、画素Ｐ１，Ｐ２のデータグループ、画素Ｐ３，Ｐ４のデータグループ、画素Ｐ５，Ｐ６のデータグループ及び画素Ｐ７，Ｐ８のデータグループが設定されている。また、フレーム画像信号は、画素Ｐ１，Ｐ３に対して、「４０」の輝度を規定し、画素Ｐ２，Ｐ４，Ｐ６，Ｐ８に対して、「６０」の輝度を規定し、画素Ｐ５，Ｐ７に対して、「８０」の輝度を規定している。本実施形態において、これらのデータグループに対応する画素の組は、画素グループとして例示される。
【０１２７】
第１等価部２１１及び第２等価部２１４は、各データグループ内で平均化処理或いは選択処理を行い、データグループ内の画素の輝度を等しくする。第１等価部２１１及び第２等価部２１４が平均化処理を行うと、画素Ｐ１，Ｐ２，Ｐ３，Ｐ４それぞれに対して、「５０」の輝度を規定し、画素Ｐ５，Ｐ６，Ｐ７，Ｐ８それぞれに対して、「７０」の輝度を規定する等価信号が生成される。第１等価部２１１及び第２等価部２１４が、奇数番号のゲート線上の画素の輝度を基準に選択処理を行うと、画素Ｐ１，Ｐ２，Ｐ３，Ｐ４それぞれに対して、「４０」の輝度を規定し、画素Ｐ５，Ｐ６，Ｐ７，Ｐ８それぞれに対して、「８０」の輝度を規定する等価信号が生成される。本実施形態において、データグループに対応する画素に対して共通して用いられる輝度（平均化処理或いは選択処理を通じて決定された輝度）は、等価輝度として例示される。
【０１２８】
第１等価部２１１は、第１選択部２１２及び第２遅延部２１５へ等価信号を出力する。第２等価部２１４は、第１補正部２１７及び第３遅延部２１６へ等価信号を出力する。
【０１２９】
図１２及び図１３を用いて、第１選択部２１２が説明される。
【０１３０】
上述の如く、第１選択部２１２には、フレーム画像信号及び第１等価部２１１によって生成された等価信号が出力される。第１選択部２１２は、第１走査動作が行われる第１走査期間に等価信号を出力し、第２走査動作が行われる第２走査期間にフレーム画像信号を出力する。
【０１３１】
図１４は、第１補正部２１７が格納する第１補正テーブルの概念図である。図１、図５、図１２乃至図１４を用いて、第１補正部２１７が説明される。
【０１３２】
第１補正部２１７には、第１等価部２１１からの等価信号及び第２等価部２１４からの等価信号が入力される。上述の如く、第２等価部２１４は、第１遅延部２１３によって遅延されたフレーム画像信号に基づき、等価信号を出力する。図１４に示される第１補正テーブル２２２中の第１等価部２１１からの入力に対応する座標軸は、第１等価部２１１からの等価信号が規定する現行輝度を示す。第１補正テーブル２２２中の第２等価部２１４からの入力に対応する座標軸は、第２等価部２１４からの等価信号が規定する先行輝度を示す。
【０１３３】
第１補正部２１７は、第１等価部２１１からの等価信号に規定される現行輝度と、第２等価部２１４からの等価信号に規定される先行輝度と、に基づき、画素Ｐ１乃至Ｐ８それぞれに対して、第１補正値を決定し、第１補正値の情報を含む第１補正信号を第２選択部２１９へ出力する。第１補正値の絶対値は、例えば、現行輝度と先行輝度との差が大きいほど、大きくなるように設定される。また、現行輝度が先行輝度よりも大きいならば、第１補正値は、正の値に設定される。現行輝度が先行輝度より小さいならば、第１補正値は負の値に設定される。後述されるように、選択された第１補正値に応じて、第１走査期間中に達成される画素Ｐ１乃至Ｐ８の輝度が変動する。本実施形態において、第１補正テーブル２２２は、第１テーブルとして例示される。また、現行輝度と先行輝度とに応じて選択される第１補正テーブル２２２中の第１補正値は、第１データとして例示される。
【０１３４】
第２選択部２１９は、第１走査動作が行われる第１走査期間に第１補正信号を出力する。したがって、第１走査期間において、出力部２２１には、第１等価部２１１によって生成された等価信号及び第１補正部２１７によって生成された第１補正信号が入力される。
【０１３５】
出力部２２１は、第１等価部２１１によって生成された等価信号が規定する現行輝度と、第１補正信号が規定する第１補正値と、を加算する。上述の如く、現行輝度が先行輝度よりも大きいならば、第１補正値は、正の値に設定されるので、出力部２２１によって算出された加算値は、現行輝度よりも大きくなる。現行輝度が先行輝度よりも小さいならば、第１補正値は、負の値に設定されるので、出力部２２１によって算出された加算値は、現行輝度よりも小さくなる。第１走査動作が行われる第１走査期間において、出力部２２１は、算出された加算値の情報を含む第１画像信号を液晶駆動部２２０へ出力する。
【０１３６】
液晶駆動部２２０は、第１画像信号に基づき、液晶パネル２３１の液晶を駆動する。図５に関連して説明された如く、第１走査期間において、液晶駆動部２２０は、画素Ｐ１，Ｐ２それぞれに対応する液晶を同時に駆動する。また、液晶駆動部２２０は、画素Ｐ５，Ｐ６それぞれに対応する液晶を同時に駆動する。ゲート線Ｌ１，Ｌ２に対応する水平同期信号に基づき、ゲート線Ｌ１，Ｌ２に対応する画素に対する液晶の駆動が開始される。この結果、液晶駆動部２２０は、画素Ｐ３，Ｐ４それぞれに対応する液晶を同時に駆動する。また、液晶駆動部２２０は、画素Ｐ７，Ｐ８それぞれに対応する液晶を同時に駆動する。
【０１３７】
第１補正部２１７に入力される２つの信号はともに、等価信号であるので、データグループ内の画素に対して規定される輝度は等価である。したがって、第１補正テーブル２２２に基づき決定される第１補正値は、データグループ内の画素に対しては、等しくなる。この結果、出力部２２１から出力される第１画像信号が規定する輝度も、データグループ内の画素に対しては、等しくなる。かくして、第１画像信号に基づく第１走査動作によって達成されるデータグループ内の画素の達成輝度は、略等しくなる。
【０１３８】
図１２を用いて、第２遅延部２１５及び第３遅延部２１６が説明される。
【０１３９】
上述の如く、第２遅延部２１５には、第１等価部２１１によって生成された等価信号が入力される。上述の如く、第１等価部２１１によって生成された等価信号は、第１走査期間において、出力部２２１によって、第１画像信号に変換され、液晶駆動部２２０に出力される一方で、第２遅延部２１５によって遅延され、後続の第２走査動作が行われる第２走査期間に第２補正部２１８に出力される。
【０１４０】
上述の如く、第３遅延部２１６には、第２等価部２１４によって生成された等価信号が入力される。第２等価部２１４によって生成された等価信号は、第１遅延部２１３によって１フレーム分だけ遅延されたフレーム画像信号に基づいて生成されるので、先行するフレーム画像の表示に用いられた第１画像信号を生成するために第１等価部２１１から出力された等価信号と等しくなる。上述の如く、第２等価部２１４によって生成された等価信号は、第１走査期間において、第１補正部２１７による第１補正信号の生成に用いられる一方で、第３遅延部２１６によって更に遅延され、後続の第２走査動作が行われる第２走査期間に第２補正部２１８に出力される。
【０１４１】
図１５は、第２補正部２１８が格納する第２補正テーブルの概念図である。図１、図１１乃至図１５を用いて、第２補正部２１８が説明される。
【０１４２】
第２補正部２１８には、フレーム画像信号、第２遅延部２１５を介して出力された第１等価部２１１からの等価信号及び第３遅延部２１６を介して出力された第２等価部２１４からの等価信号が入力される。
【０１４３】
第２補正部２１８は、第２補正テーブル２２３を格納する。第２補正テーブル２２３は、期待値テーブル２２４と、決定テーブル２２５と、を含む。
【０１４４】
第１走査期間中に達成される画素の輝度は、第１画像信号が規定する設定輝度に必ずしも到達しない。期待値テーブル２２４は、第１画像信号に従って第１走査期間中に達成される画素の輝度に対する期待値のデータを格納する。第２遅延部２１５から出力される等価信号の輝度は、図１４に関連して説明された第１等価部２１１からの等価信号の輝度（現行輝度）と等価である。したがって、図１５に示される期待値テーブル２２４中の第２遅延部２１５からの入力に対応する座標軸は、現行輝度を示す。第３遅延部２１６から出力される等価信号の輝度は、図１４に関連して説明された第２等価部２１４からの等価信号の輝度（先行輝度）と等価である。したがって、図１５に示される期待値テーブル２２４中の第３遅延部２１６からの入力に対応する座標軸は、先行輝度を示す。
【０１４５】
第２補正部２１８は、第２遅延部２１５からの等価信号に規定される現行輝度と、第３遅延部２１６からの等価信号に規定される先行輝度と、に基づき、画素Ｐ１乃至Ｐ８それぞれが第１走査期間中に達成すると期待される輝度を、期待値テーブル２２４が格納するデータから抽出する。本実施形態において、第２補正部２１８が期待値テーブル２２４から抽出したデータは、達成輝度として例示される。
【０１４６】
フレーム画像信号が各画素に対して規定する輝度は、視聴者に知覚されるべき目標の輝度である。理想的には、左眼シャッタ３１１が開かれたとき、Ｌフレーム画像信号が規定する輝度に画素の輝度が到達し、右眼シャッタ３１２が開かれたとき、Ｒフレーム画像信号が規定する輝度に画素の輝度が到達する。図１１に関連して説明された如く、目標輝度と視聴者に知覚される画素の輝度との間の差異は、クロストークとして、視聴者に知覚される。
【０１４７】
決定テーブル２２５は、第２走査期間に出力される第２補正値のデータを格納する。図１５に示される決定テーブル２２５中のフレーム画像信号の入力に対応する座標軸は、フレーム画像信号が規定する目標輝度を示す。決定テーブル２２５中の期待値テーブル２２４からの入力に対応する座標軸は、期待値テーブル２２４から抽出された輝度の期待値（即ち、第１走査期間中に達成すると期待される画素の輝度）を示す。第２補正部２１８は、目標輝度と輝度の期待値と、に基づき、画素Ｐ１乃至Ｐ８それぞれに対して、第２補正値を決定し、第２補正値の情報を含む第２補正信号を第２選択部２１９へ出力する。第２補正値の絶対値は、例えば、輝度の期待値と目標輝度との差が大きいほど、大きくなるように設定される。本実施形態において、第２補正テーブル２２３は、第２テーブルとして例示される。また、決定テーブル２２５に格納される第２補正値のデータは、第２データとして例示される。
【０１４８】
第２選択部２１９は、第２走査動作が行われる第２走査期間に第２補正信号を出力する。したがって、第２走査期間において、出力部２２１には、フレーム画像信号及び第２補正部２１８によって生成された第２補正信号が入力される。
【０１４９】
出力部２２１は、フレーム画像信号が規定する目標輝度と、第２補正信号が規定する第２補正値と、を加算し、第２走査期間で用いられる駆動輝度を決定する。第２走査動作が行われる第２走査期間において、出力部２２１は、算出された駆動輝度の情報を含む第２画像信号を液晶駆動部２２０へ出力する。
【０１５０】
液晶駆動部２２０は、第２画像信号に基づき、液晶パネル２３１の液晶を駆動する。第２画像信号に基づく液晶の駆動の結果、画素Ｐ１乃至Ｐ８の輝度は、目標輝度に向けて変動する。
【０１５１】
図１６は、映像信号処理部２１０中の信号の出力図である。図１７は、第１走査期間における映像信号処理部２１０中の信号の出力を表す概略的なブロック図である。図１８は、第２走査期間における映像信号処理部２１０中の信号の出力を表す概略的なブロック図である。図１３乃至図１８を用いて、映像信号処理部２１０中の信号の出力が説明される。
【０１５２】
図１６には、Ｎ番目のＬフレーム画像を表示するための左眼期間、Ｎ番目のＲフレーム画像を表示するための右眼期間、（Ｎ＋１）番目のＬフレーム画像を表示するための左眼期間及び（Ｎ＋１）番目のＲフレーム画像を表示するための右眼期間が示されている。以下の説明において、Ｎ番目のＲフレーム画像を表示するための右眼期間における信号の出力が説明される。尚、他の期間においても、Ｎ番目のＲフレーム画像を表示するための右眼期間における信号の出力の原理は同様に適用される。
【０１５３】
図１７に示される如く、Ｎ番目のＲフレーム画像信号ＳＲｎ（２）が入力されると、第１走査期間において、第１等価部２１１は、図１３に関連して説明された平均化処理又は選択処理を実行し、等価信号ＳＲｎ（１）を生成並びに出力する。等価信号ＳＲｎ（１）は、第１選択部２１２、第１補正部２１７及び第２遅延部２１５を介して第２補正部２１８へ入力される。
【０１５４】
第１遅延部２１３は、直前のＮ番目のＬフレーム画像を表示するための左眼期間において、Ｎ番目のＬフレーム画像信号ＳＬｎ（２）を取得している。第１遅延部２１３は、Ｌフレーム画像信号ＳＬｎ（２）を遅延させ、後続のＮ番目のＲフレーム画像を表示するための右眼期間の第１走査期間に第２等価部２１４へ出力する。
【０１５５】
第２等価部２１４は、図１３に関連して説明された平均化処理又は選択処理を実行し、等価信号ＳＬｎ（１）を生成並びに出力する。等価信号ＳＬｎ（１）は、第１補正部２１７及び第３遅延部２１６へ入力される。
【０１５６】
図１４に関連して説明された如く、第１走査期間において、第１補正部２１７は、等価信号ＳＲｎ（１）が指し示す現行輝度と、等価信号ＳＬｎ（１）が指し示す先行輝度とに基づき、第１補正テーブル２２２を用いて、第１補正値を決定する。第１補正部２１７は、決定された第１補正値の情報を含む第１補正信号ＣＲｎ（１）を第２選択部２１９へ出力する。
【０１５７】
第１選択部２１２及び第２選択部２１９は、同期して、等価信号ＳＲｎ（１）及び第１補正信号ＣＲｎ（１）をそれぞれ出力部２２１へ出力する。出力部２２１は、等価信号ＳＲｎ（１）と第１補正信号ＣＲｎ（１）とを加算し、第１画像信号ＩＲｎ（１）を生成する。第１画像信号ＩＲｎ（１）は、液晶駆動部２２０へ出力される。
【０１５８】
図１８に示される如く、Ｎ番目のＲフレーム画像信号ＳＲｎ（２）は、第１等価部２１１だけでなく、第１選択部２１２へ入力される。第２走査期間において、第１選択部２１２は、Ｒフレーム画像信号ＳＲｎ（２）を出力する。
【０１５９】
Ｎ番目のＲフレーム画像信号ＳＲｎ（２）は、更に、第２補正部２１８に入力される。第２遅延部２１５は、第１走査期間において取得された等価信号ＳＲｎ（１）を遅延させ、第２走査期間において、遅延された等価信号ＳＲｎ（１ｄ）として、第２補正部２１８へ出力する。第３遅延部２１６は、第１走査期間において取得された等価信号ＳＬｎ（１）を遅延させ、第２走査期間において、遅延された等価信号ＳＬｎ（１ｄ）として、第２補正部２１８へ出力する。
【０１６０】
図１５に関連して説明された如く、第２走査期間において、第２補正部２１８は、等価信号ＳＲｎ（１ｄ）が指し示す現行輝度と、等価信号ＳＬｎ（１ｄ）が指し示す先行輝度とに基づき、期待値テーブル２２４を用いて、第１走査期間に達成される輝度の期待値を決定する。第２補正部２１８は、更に、決定された期待値と、Ｒフレーム画像信号ＳＲｎ（２）が指し示す目標輝度と、に基づき、決定テーブル２２５を用いて、第２補正値を決定する。第２補正部２１８は、決定された第２補正値の情報を含む第２補正信号ＣＲｎ（２）を第２選択部２１９へ出力する。
【０１６１】
第２選択部２１９は、第１選択部２１２と同期して、第２補正信号ＣＲｎ（２）を出力部２２１に出力する。出力部２２１は、Ｒフレーム画像信号ＳＲｎ（２）と第２補正信号ＣＲｎ（２）とを加算し、第２画像信号ＩＲｎ（２）を生成する。第２画像信号ＩＲｎ（２）は、液晶駆動部２２０へ出力される。
【０１６２】
図１９は、第１走査期間に出力される信号が含む輝度のデータを示す。図１３、図１４、図１７及び図１９を用いて、第１走査期間中の輝度のデータの変化が説明される。図１９中の表は、データ線Ｍに沿って整列した画素の輝度を表す。
【０１６３】
第１等価部２１１に入力されるＮ番目のＲフレーム画像信号ＳＲｎ（２）は、奇数番号のゲート線Ｌ１，Ｌ３，・・・，Ｌ２ｔ−１に対応する画素に対して、「８０」の輝度を示している。また、Ｒフレーム画像信号ＳＲｎ（２）は、偶数番号のゲート線Ｌ２，Ｌ４，・・・，Ｌ２ｔに対応する画素に対して、「６０」の輝度を示している。
【０１６４】
第１等価部２１１は、奇数番号のゲート線Ｌ１，Ｌ３，・・・，Ｌ２ｔ−１に対応する画素の輝度を基準に、図１３に関連して説明された選択処理を行い、等価信号ＳＲｎ（１）を生成する。この結果、等価信号ＳＲｎ（１）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素の両方に対して、「８０」の輝度を示す。等価信号ＳＲｎ（１）は、第１選択部２１２及び第１補正部２１７に出力される。第１選択部２１２は、出力部２２１へ等価信号ＳＲｎ（１）を出力する。
【０１６５】
Ｎ番目のＲフレーム画像を表示するための右眼期間の第１走査期間において、第１遅延部２１３は、直前のＮ番目のＬフレーム画像を表示するために左眼期間において取得されたＬフレーム画像信号ＳＬｎ（２）を出力する。Ｌフレーム画像信号ＳＬｎ（２）は、奇数番号のゲート線Ｌ１，Ｌ３，・・・，Ｌ２ｔ−１に対応する画素に対して、「４０」の輝度を示している。また、Ｌフレーム画像信号ＳＬｎ（２）は、偶数番号のゲート線Ｌ２，Ｌ４，・・・，Ｌ２ｔに対応する画素に対して、「６０」の輝度を示している。Ｌフレーム画像信号ＳＬｎ（２）は、第２等価部２１４へ入力される。
【０１６６】
第２等価部２１４は、奇数番号のゲート線Ｌ１，Ｌ３，・・・，Ｌ２ｔ−１に対応する画素の輝度を基準に、図１３に関連して説明された選択処理を行い、等価信号ＳＬｎ（１）を生成する。この結果、等価信号ＳＬｎ（１）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素の両方に対して、「４０」の輝度を示す。等価信号ＳＬｎ（１）は、第１補正部２１７に出力される。
【０１６７】
図１４に関連して説明された如く、第１補正部２１７は、等価信号ＳＲｎ（１），ＳＬｎ（１）に基づき、第１補正テーブル２２２を用いて、第１補正信号ＣＲｎ（１）を生成する。第１補正部２１７は、等価信号ＳＲｎ（１）が示す現行輝度と、等価信号ＳＬｎ（１）が示す先行輝度とに基づき、画素それぞれに対して第１補正値を決定する。図１９に示される等価信号ＳＲｎ（１）は、データ線Ｍに沿う全ての画素に対し、「８０」の現行輝度を示し、等価信号ＳＬｎ（１）は、データ線Ｍに沿う全ての画素に対し、「４０」の先行輝度を示しているので、第１補正部２１７は、データ線Ｍに沿う全ての画素に対し、「５」の第１補正値を定め、第１補正信号ＣＲｎ（１）を生成する。第１補正信号ＣＲｎ（１）は、その後、第２選択部２１９を介して、出力部２２１へ出力される。
【０１６８】
出力部２２１は、等価信号ＳＲｎ（１）が指し示す輝度と、第１補正信号ＣＲｎ（１）が指し示す第１補正値と、を画素それぞれについて加算する。図１９に示される等価信号ＳＲｎ（１）は、データ線Ｍに沿う全ての画素に対し、「８０」の輝度を示し、第１補正信号ＣＲｎ（１）は、データ線Ｍに沿う全ての画素に対し、「５」の第１補正値を示しているので、出力部２２１から出力される第１画像信号ＩＲｎ（１）は、データ線Ｍに沿う全ての画素に対し、「８５」の輝度を規定する。
【０１６９】
図２０は、第２走査期間に出力される信号が含む輝度のデータを示す。図１５、図１７乃至図２０を用いて、第２走査期間中の輝度のデータの変化が説明される。図２０中の表は、データ線Ｍに沿って整列した画素の輝度を表す。
【０１７０】
Ｎ番目のＲフレーム画像信号ＳＲｎ（２）は、第１選択部２１２及び第２補正部２１８に入力される。第１選択部２１２は、第２走査期間に、Ｒフレーム画像信号ＳＲｎ（２）を出力部２２１へ出力する。
【０１７１】
第１走査期間において、第１等価部２１１が出力した等価信号ＳＲｎ（１）は、第２遅延部２１５に入力される。第２遅延部２１５は、等価信号ＳＲｎ（１）を遅延させ、第２走査期間において、等価信号ＳＲｎ（１ｄ）として、出力する。尚、等価信号ＳＲｎ（１）が画素それぞれに規定する輝度及び等価信号ＳＲｎ（１ｄ）が画素それぞれに規定する輝度は等しい。
【０１７２】
第１走査期間において、第２等価部２１４が出力した等価信号ＳＬｎ（１）は、第３遅延部２１６に入力される。第３遅延部２１６は、等価信号ＳＬｎ（１）を遅延させ、第２走査期間において、等価信号ＳＬｎ（１ｄ）として、出力する。尚、等価信号ＳＬｎ（１）が画素それぞれに規定する輝度及び等価信号ＳＬｎ（１ｄ）が画素それぞれに規定する輝度は等しい。
【０１７３】
第２遅延部２１５は、等価信号ＳＲｎ（１ｄ）を第２補正部２１８へ出力する。等価信号ＳＲｎ（１ｄ）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素に対して、「８０」の輝度をそれぞれ示している。
【０１７４】
第３遅延部２１６は、等価信号ＳＬｎ（１ｄ）を第２補正部２１８へ出力する。等価信号ＳＬｎ（１ｄ）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素に対して、「４０」の輝度をそれぞれ示している。
【０１７５】
図１５に関連して説明された如く、第２補正部２１８は、等価信号ＳＲｎ（１ｄ）が示す現行輝度と、ＳＬｎ（１ｄ）が示す先行輝度とに基づき、期待値テーブル２２４を用いて、画素それぞれが第１走査期間において達成する輝度の期待値を決定する。図１９に示される等価信号ＳＲｎ（１）は、データ線Ｍに沿う全ての画素に対し、「８０」の現行輝度を示し、等価信号ＳＬｎ（１）は、データ線Ｍに沿う全ての画素に対し、「４０」の現行輝度を示しているので、第２補正部２１８は、データ線Ｍに沿う全ての画素に対し、「７５」の輝度の期待値を決定する。
【０１７６】
第２補正部２１８は、その後、画素それぞれに対して決定された輝度の期待値と、Ｒフレーム画像信号ＳＲｎ（２）が画素それぞれに規定する目標輝度と、に基づき、決定テーブル２２５を用いて、第２補正値を画素それぞれに対して決定する。
【０１７７】
図２０に示されるＲフレーム画像信号ＳＲｎ（２）は、奇数番号のゲート線Ｌ１，Ｌ３，・・・，Ｌ２ｔ−１に対応する画素に対して、「８０」の目標輝度を規定している。また、期待値テーブル２２４に基づき決定された奇数番号のゲート線Ｌ１，Ｌ３，・・・，Ｌ２ｔ−１に対応する画素に対する輝度の期待値は、「７５」である。奇数番号のゲート線Ｌ１，Ｌ３，・・・，Ｌ２ｔ−１に対応する画素の輝度は、第１走査期間において、「８０」の目標輝度に十分に近づけられている。かくして、第２補正部２１８は、奇数番号のゲート線Ｌ１，Ｌ３，・・・，Ｌ２ｔ−１に対応する画素の輝度に対しては、「０」の第２補正値を設定する。
【０１７８】
図２０に示されるＲフレーム画像信号ＳＲｎ（２）は、偶数番号のゲート線Ｌ２，Ｌ４，・・・，Ｌ２ｔに対応する画素に対して、「６０」の目標輝度を規定している。また、期待値テーブル２２４に基づき決定された偶数番号のゲート線Ｌ２，Ｌ４，・・・，Ｌ２ｔに対応する画素に対する輝度の期待値は、「７５」である。奇数番号のゲート線Ｌ１，Ｌ３，・・・，Ｌ２ｔ−１に対応する画素の輝度は、第１走査期間において、「６０」の目標輝度を大幅に上回っている。かくして、第２補正部２１８は、偶数番号のゲート線Ｌ２，Ｌ４，・・・，Ｌ２ｔに対応する画素の輝度に対しては、「−１０」の第２補正値を設定する。
【０１７９】
第２補正部２１８は、上述の如く設定された第２補正値に関する情報を含む第２補正信号ＣＲｎ（２）を生成する。第２補正信号ＣＲｎ（２）は、第２選択部２１９を介して、出力部２２１へ出力される。
【０１８０】
出力部２２１は、Ｒフレーム画像信号ＳＲｎ（２）が指し示す輝度と、第２補正信号ＣＲｎ（２）が指し示す第２補正値と、を画素それぞれについて加算する。図２０に示されるＲフレーム画像信号ＳＲｎ（２）は、奇数番号のゲート線Ｌ１，Ｌ３，・・・，Ｌ２ｔ−１に対応する画素に対して、「８０」の目標輝度を示し、第２補正信号ＣＲｎ（２）は、奇数番号のゲート線Ｌ１，Ｌ３，・・・，Ｌ２ｔ−１に対応する画素に対して、「０」の第２補正値を示しているので、出力部２２１から出力される第２画像信号ＩＲｎ（２）は、奇数番号のゲート線Ｌ１，Ｌ３，・・・，Ｌ２ｔ−１に対応する画素に対して、「８０」の駆動輝度を規定する。また、Ｒフレーム画像信号ＳＲｎ（２）は、偶数番号のゲート線Ｌ２，Ｌ４，・・・，Ｌ２ｔに対応する画素に対して、「６０」の目標輝度を示し、第２補正信号ＣＲｎ（２）は、偶数番号のゲート線Ｌ２，Ｌ４，・・・，Ｌ２ｔに対応する画素に対して、「−１０」の第２補正値を示しているので、出力部２２１から出力される第２画像信号ＩＲｎ（２）は、偶数番号のゲート線Ｌ２，Ｌ４，・・・，Ｌ２ｔに対応する画素に対して、「５０」の目標輝度を規定する。
【０１８１】
図２１は、図１９及び図２０に関連して説明された第１画像信号ＩＲｎ（１）及び第２画像信号ＩＲｎ（２）に基づく、画素の輝度変化を表す概略的なタイムチャートである。図１、図５、図１１、図１９乃至図２１を用いて、画素の輝度変化が説明される。
【０１８２】
図２１のセクション（Ａ）には、Ｎ番目のＬフレーム画像の表示のための左眼期間、Ｎ番目のＲフレーム画像の表示のための右眼期間及び（Ｎ＋１）番目のＬフレーム画像の表示のための左眼期間が示されている。以下の説明において、右眼期間における画素の輝度変化が説明される。
【０１８３】
図２１のセクション（Ｂ）には、第１走査動作及び第２走査動作が示される。右眼期間の第１走査期間において、液晶駆動部２２０は、第１画像信号ＩＲｎ（１）を用いて、第１走査動作を実行する。図５に関連して説明された如く、液晶駆動部２２０は、１つの奇数番号のゲート線に対応する画素と、１つの偶数番号のゲート線に対応する画素の液晶と、を１つの組として、同時に駆動する。この結果、第１画像信号ＩＲｎ（１）は、ゲート線（Ｌ１，Ｌ２）の組、ゲート線（Ｌ３，Ｌ４）の組、・・・・、ゲート線（Ｌ２ｔ−１，Ｌ２５）の組に順次書き込まれる。右眼期間の第２走査期間において、液晶駆動部２２０は、第２画像信号ＩＲｎ（２）を用いて、第２走査動作を実行する。図５に関連して説明された如く、液晶駆動部２２０は、ゲート線Ｌ１，Ｌ２，Ｌ３，Ｌ４，・・・Ｌ２ｔ−１，Ｌ２５に順次、第２画像信号ＩＲｎ（２）を書き込む。
【０１８４】
図２１のセクション（Ｃ）は、光学シャッタ部３１０の開閉動作を示す。左眼シャッタ３１１は、第２走査動作の完了後、且つ、右眼期間が開始される前までの期間において開く。また、右眼シャッタ３１２は、第２走査動作の完了後、且つ、左眼期間が開始される前までの期間において開く。
【０１８５】
図２１のセクション（Ｄ）は、ゲート線Ｌ１とデータ線Ｍとの交点に位置する画素の輝度の変化を表す。図２１のセクション（Ｅ）は、ゲート線Ｌ２とデータ線Ｍとの交点に位置する画素の輝度の変化を表す。
【０１８６】
図１９及び図２０に関連して説明された如く、直前の左眼期間においてＬフレーム画像の表示に用いられたＬフレーム画像信号ＳＬｎ（２）は、奇数番号のゲート線Ｌ１，Ｌ３，・・・，Ｌ２ｔ−１に対応する画素に対して、「４０」の目標輝度を規定している。したがって、セクション（Ｄ）に示される画素の輝度は、略「４０」から変動を開始する。Ｌフレーム画像信号ＳＬｎ（２）は、偶数番号のゲート線Ｌ２，Ｌ４，・・・，Ｌ２ｔに対応する画素に対して、「６０」の目標輝度を規定している。したがって、セクション（Ｅ）に示される画素の輝度は、略「６０」から変動を開始する。
【０１８７】
図１９に関連して説明された如く、第１画像信号ＩＲｎ（１）は、データ線Ｍに沿う画素全てに対して、「８５」の駆動輝度を設定する。したがって、第１走査動作がなされると、データ線Ｍに沿う画素の輝度は、「８５」の駆動輝度に向けて、変動を開始する。
【０１８８】
第１走査動作の結果、第２走査動作が開始される直前には、データ線Ｍに沿う画素の輝度は、第２補正部２１８の期待値テーブル２２４を用いて決定された「７５」の輝度の期待値に到達する、或いは、「７５」の輝度の期待値に近似する。
【０１８９】
図２０に関連して説明された如く、第２画像信号ＩＲｎ（２）は、奇数番号のゲート線Ｌ１，Ｌ３，・・・，Ｌ２ｔ−１に対応する画素に対して、「８０」の駆動輝度を設定する。したがって、第２走査動作がなされると、奇数番号のゲート線Ｌ１，Ｌ３，・・・，Ｌ２ｔ−１に対応する画素は、「８０」の駆動輝度に向けて、変動を開始する。上述の如く、奇数番号のゲート線Ｌ１，Ｌ３，・・・，Ｌ２ｔ−１に対応する画素の輝度は、第１走査動作の結果、Ｒフレーム画像信号ＳＲｎ（２）が規定する目標輝度に十分に近づけられているので、右眼シャッタ３１２が開かれるときには、目標輝度に到達している。
【０１９０】
第２画像信号ＩＲｎ（２）は、偶数番号のゲート線Ｌ２，Ｌ４，・・・，Ｌ２ｔに対応する画素に対して、「５０」の駆動輝度を設定する。したがって、第２走査動作がなされると、偶数番号のゲート線Ｌ２，Ｌ４，・・・，Ｌ２ｔに対応する画素は、「５０」の駆動輝度に向けて、変動を開始する。「５０」の駆動輝度は、Ｒフレーム画像信号ＳＲｎ（２）が規定する目標輝度「６０」を下回るので、偶数番号のゲート線Ｌ２，Ｌ４，・・・，Ｌ２ｔに対応する画素の液晶は、比較的大きな駆動力で駆動される。したがって、右眼シャッタ３１２が開かれるときには、Ｒフレーム画像信号ＳＲｎ（２）が規定する目標輝度に十分に近づけられている。
【０１９１】
図２１のセクション（Ｅ）に示される如く、比較的早期に第２走査動作が実行されるゲート線Ｌ２に対応する画素は、右眼シャッタ３１２が開かれるときには、「６０」の目標輝度に略到達している。
【０１９２】
尚、クロストークの更なる改善は、眼鏡装置３００のシャッタ部３１０の開閉制御及び／又はバックライト２３２の点灯制御によっても達成可能である。例えば、クロストークの量は、眼鏡装置３００の左眼シャッタ３１１が開くタイミング及び右眼シャッタ３１２が開くタイミングがそれぞれ遅延されることにより、低減される。左眼シャッタ３１１が開くタイミング及び右眼シャッタ３１２が開くタイミングの遅延は、結果として、左眼シャッタ３１１及び右眼シャッタ３１２の短縮化をもたらし、視聴者が知覚する光量が低減することもある。バックライト２３２の光量の増大により、左眼シャッタ３１１及び右眼シャッタ３１２の短縮化に起因する視聴者が知覚する光量の低減は、補填されうる。かくして、クロストークの一層の低減化が好適に図られる。
【０１９３】
（第２実施形態）
図２２は、第２実施形態に係る映像視聴システム及び表示装置に用いられる映像信号処理部の概略的なブロック図である。映像信号処理部を除く他の要素は、第１実施形態に関連して説明された要素と同様である。第１実施形態と同様の要素に対して、同様の符号が割り当てられている。以下において説明されない要素に対し、第１実施形態に係る説明が好適に援用される。図１３及び図２２を用いて、第２実施形態に係る映像視聴システム及び表示装置に用いられる映像信号処理部が説明される。
【０１９４】
第２実施形態に係る映像視聴システム及び表示装置に用いられる映像信号処理部２１０Ａは、第１実施形態と同様の第１等価部２１１、第１選択部２１２、第１遅延部２１３、第２等価部２１４、第１補正部２１７、第２補正部２１８、第２選択部２１９及び出力部２２１に加えて、第３等価部２５１及び第４等価部２５２を備える。第３等価部２５１及び第４等価部２５２は、図１３に関連して説明された平均化処理又は選択処理を実行する。
【０１９５】
図２３は、第１走査期間における映像信号処理部２１０Ａ中の信号の出力を表す概略的なブロック図である。図２４は、第２走査期間における映像信号処理部２１０Ａ中の信号の出力を表す概略的なブロック図である。図１３乃至図１８並びに図２３及び図２４を用いて、映像信号処理部２１０Ａ中の信号の出力が説明される。図１６は、映像信号処理部２１０Ａ中の信号の出力図である。
【０１９６】
Ｎ番目のＲフレーム画像信号ＳＲｎ（２）が入力されると、第１走査期間において、第１等価部２１１は、図１３に関連して説明された平均化処理又は選択処理を実行し、等価信号ＳＲｎ（１）を生成並びに出力する。等価信号ＳＲｎ（１）は、第１選択部２１２及び第１補正部２１７へ入力される。
【０１９７】
第１遅延部２１３は、直前のＮ番目のＬフレーム画像を表示するための左眼期間において、Ｎ番目のＬフレーム画像信号ＳＬｎ（２）を取得している。第１遅延部２１３は、Ｌフレーム画像信号ＳＬｎ（２）を遅延させ、後続のＮ番目のＲフレーム画像を表示するための右眼期間の第１走査期間に第２等価部２１４へ出力する。
【０１９８】
第２等価部２１４は、図１３に関連して説明された平均化処理又は選択処理を実行し、等価信号ＳＬｎ（１）を生成並びに出力する。等価信号ＳＬｎ（１）は、第１補正部２１７へ入力される。
【０１９９】
図２３に示される第１補正部２１７（第２実施形態）への入力信号は、図１７に示される第１補正部２１７（第１実施形態）への入力信号と等しい。したがって、第２実施形態の第１補正部２１７も、第１実施形態と同様に、第１補正信号ＣＲｎ（１）を出力する。第１補正信号ＣＲｎ（１）は、図１４に関連して説明された生成原理に従って、生成される。
【０２００】
第１走査期間において、第１選択部２１２及び第２選択部２１９は、同期して、等価信号ＳＲｎ（１）及び第１補正信号ＣＲｎ（１）をそれぞれ出力部２２１へ出力する。図２３に示される出力部２２１（第２実施形態）への入力信号は、図１７に示される出力部２２１（第１実施形態）への入力信号と等しい。したがって、出力部２２１は、第１走査期間において、第１画像信号ＩＲｎ（１）を生成する。第１画像信号ＩＲｎ（１）の生成は、第１実施形態に関連して説明された原理に従う。第１画像信号ＩＲｎ（１）は、液晶駆動部２２０へ出力される。
【０２０１】
Ｎ番目のＲフレーム画像信号ＳＲｎ（２）は、第１等価部２１１だけでなく、第１選択部２１２へ入力される。第２走査期間において、第１選択部２１２は、Ｒフレーム画像信号ＳＲｎ（２）を出力する。
【０２０２】
Ｎ番目のＲフレーム画像信号ＳＲｎ（２）は、更に、第２補正部２１８及び第３等価部２５１に入力される。第３等価部２５１は、図１３に関連して説明された平均化処理又は選択処理を実行し、等価信号ＳＲｎ（１）を生成並びに出力する。等価信号ＳＲｎ（１）は、第２補正部２１８へ入力される。
【０２０３】
第１遅延部２１３から出力されるＮ番目のＬフレーム画像信号ＳＬｎ（２）は、第２等価部２１４だけでなく、第４等価部２５２にも出力される。第３等価部２５１は、図１３に関連して説明された平均化処理又は選択処理を実行し、等価信号ＳＬｎ（１）を生成並びに出力する。等価信号ＳＬｎ（１）は、第２補正部２１８へ入力される。
【０２０４】
第２実施形態の第２補正部２１８に入力される等価信号ＳＲｎ（１）は、第１実施形態の第２補正部２１８に入力される等価信号ＳＲｎ（１ｄ）と等しい現行輝度のデータを含む。第２実施形態の第２補正部２１８に入力される等価信号ＳＬｎ（１）は、第１実施形態の第２補正部２１８に入力される等価信号ＳＬｎ（１ｄ）と等しい先行輝度のデータを含む。また、第２実施形態の第２補正部２１８には、第１実施形態の第２補正部２１８と同様に、Ｒフレーム画像信号ＳＲｎ（２）が入力される。したがって、第１実施形態と同様に、図１５に関連して説明された原理に従って、第２補正信号ＣＲｎ（２）が生成される。
【０２０５】
第２選択部２１９は、第２走査期間において、第２補正信号ＣＲｎ（２）を出力部２２１へ出力する。図２４に示される出力部２２１（第２実施形態）への入力信号は、図１８に示される出力部２２１（第１実施形態）への入力信号と等しい。したがって、出力部２２１は、第２走査期間において、第２画像信号ＩＲｎ（２）を生成する。第２画像信号ＩＲｎ（２）の生成は、第１実施形態に関連して説明された原理に従う。第２画像信号ＩＲｎ（２）は、液晶駆動部２２０へ出力される。
【０２０６】
第２実施形態の映像信号処理部２１０Ａは、第１実施形態の第２遅延部２１５及び第３遅延部２１６に代えて、第３等価部２５１及び第４等価部２５２をそれぞれ含む。したがって、第２遅延部２１５及び第３遅延部２１６としての機能を発揮するメモリ要素が削減される点において、第２実施形態の映像信号処理部２１０Ａは、第１実施形態の映像信号処理部２１０よりも優れている。
【０２０７】
（第３実施形態）
第３実施形態において、フレーム画像の表示領域に応じた制御が説明される。
【０２０８】
図２５は、フレーム画像の上部と下部とで等しい第２補正値を第２補正部２１８が出力したときの画素の輝度変化を表す概略的なタイムチャートである。図１、図５、図１５及び図２５を用いて、フレーム画像の上部と下部とで等しい第２補正値が用いられたときの問題点が説明される。
【０２０９】
図２５のセクション（Ａ）には、Ｎ番目のＬフレーム画像の表示のための左眼期間、Ｎ番目のＲフレーム画像の表示のための右眼期間及び（Ｎ＋１）番目のＬフレーム画像の表示のための左眼期間が示されている。以下の説明において、右眼期間における画素の輝度変化が説明される。
【０２１０】
図２５のセクション（Ｂ）には、第１走査動作及び第２走査動作が示される。図５に関連して説明された如く、第２走査動作が行われる第２走査期間は、第１走査動作が行われる第１走査期間よりも長い。
【０２１１】
図２５のセクション（Ｃ）は、光学シャッタ部３１０の開閉動作を示す。左眼シャッタ３１１は、第２走査動作の完了後、且つ、右眼期間が開始される前までの期間において開く。また、右眼シャッタ３１２は、第２走査動作の完了後、且つ、左眼期間が開始される前までの期間において開く。
【０２１２】
図２５のセクション（Ｄ）は、液晶パネル２３１の上部に位置する画素の輝度の変化を表すタイムチャートである。図２５のセクション（Ｅ）は、液晶パネル２３１の下部に位置する画素の輝度の変化を表すタイムチャートである。図２５のセクション（Ｄ）及びセクション（Ｅ）に示されるタイムチャートは、液晶パネル２３１の上部及び下部に位置する画素に対して、それぞれ等しい目標輝度を設定するＬフレーム画像信号及びＲフレーム画像信号に基づき得られている。
【０２１３】
第２補正部２１８は、第１実施形態及び第２実施形態に関連して説明された如く、Ｌフレーム画像信号が規定する目標輝度とＲフレーム画像信号が規定する目標輝度とに基づき、第２補正値を決定する。したがって、Ｌフレーム画像信号及びＲフレーム画像信号が液晶パネル２３１の上部及び下部に位置する画素に対して、それぞれ等しい目標輝度を設定し、且つ、第２補正部２１８が画素の位置を考慮しないならば、第２補正部２１８は、液晶パネル２３１の上部の画素と下部の画素に対して、等しい第２補正値を決定する。図２５のタイムチャートにおいて、第２補正部２１８は、Ｌフレーム画像信号及びＲフレーム画像信号が規定する目標輝度に基づき、「７５」の期待値を設定し、第２補正信号ＣＲｎ（２）を出力している。
【０２１４】
上述の如く、第２走査動作が行われる第２走査期間は、第１走査動作が行われる第１走査期間よりも長いので、液晶パネル２３１の上部の画素と下部の画素との間で、第２走査期間の開始時において、画素が達成している輝度の値は異なる。図２５のタイムチャートにおいて、液晶パネル２３１の上部の画素は、期待値と等しい「７５」の輝度を達成しているのに対し、液晶パネル２３１の下部の画素は、期待値よりも大きい「８３」の輝度を達成している。この結果、期待値が考慮されない処理と比べてクロストークの改善は見られるものの、液晶パネル２３１の下部（走査動作のタイミングが遅い領域）において、クロストークが視聴者に、尚、知覚されやすくなる。
【０２１５】
図２６は、第３実施形態に係る映像視聴システム及び表示装置に用いられる第２補正部が格納する第２補正テーブルの概念図である。第２補正部を除く他の要素は、第１実施形態或いは第２実施形態に関連して説明された要素と同様である。第１実施形態と同様の要素に対して、同様の符号が割り当てられている。以下において説明されない要素に対し、第１実施形態に係る説明が好適に援用される。図１５及び図２６を用いて、第２補正部が格納する第２補正テーブルが説明される。
【０２１６】
第２補正部２１８Ｂが格納する第２補正テーブル２２３Ｂは、第１実施形態と同様の期待値テーブル２２４及び決定テーブル２２５に加えて、垂直位置テーブル２５３を含む。期待値テーブル２２４を用いた期待値を決定するための工程は、第１実施形態の原理に従う。
【０２１７】
垂直位置テーブル２５３は、画素の垂直位置に応じて定められた垂直補正のデータを含む。第２補正部２１８Ｂは、垂直位置テーブル２５３Ｂを用いて、等価信号ＳＲｎ（１ｄ）及び／又は等価信号ＳＬｎ（１ｄ）から読み取った画素の垂直位置に応じて垂直補正値を決定する。第２補正部２１８Ｂは、垂直位置テーブル２５３から得られた垂直補正値を用いて、期待値テーブル２２４から得られた期待値を補正する。第２補正部２１８Ｂは、補正された期待値とフレーム画像信号ＳＲｎ（２）に基づいて、決定テーブル２２５を用いて、第２補正値を決定する。この結果、比較的遅く第２走査動作が開始されるゲート線Ｌ２ｔ上の画素ほど、Ｒフレーム画像信号ＳＲｎ（２）が規定する目標輝度から離れた値の駆動輝度に設定される。本実施形態において、垂直位置テーブル２５３は、画素の位置に応じて期待値を調整するための位置テーブルとして例示される。
【０２１８】
図２７は、画素の輝度変化を表す概略的なタイムチャートである。図２７のセクション（Ａ）乃至（Ｅ）は、図２５のセクション（Ａ）乃至（Ｅ）と同様である。図２５乃至図２６を用いて、下部の画素のクロストークの改善が説明される。
【０２１９】
第２補正部２１８Ｂは、画素の垂直位置に応じて第２補正値の大きさを調整するので、比較的早期に第２走査動作が開始されるゲート線Ｌ２上の画素は、第２走査期間において、「５０」の駆動輝度に向けて、輝度を低減させる一方で、遅れて第２走査動作が開始されるゲート線Ｌ２ｔ上の画素は、「３０」の駆動輝度に向けて、輝度を低減させる。したがって、第２走査動作の開始タイミングが遅いほど、画素の輝度は急激に変動することとなる。この結果、第２走査動作の開始タイミングが遅い領域のクロストークが適切に改善される。
【０２２０】
（第４実施形態）
図２８は、第４実施形態に係る映像視聴システム及び表示装置に用いられる第２補正部が格納する第２補正テーブルの概念図である。第２補正部を除く他の要素は、第１実施形態或いは第２実施形態に関連して説明された要素と同様である。第１実施形態と同様の要素に対して、同様の符号が割り当てられている。以下において説明されない要素に対し、第１実施形態に係る説明が好適に援用される。図１５及び図２８を用いて、第２補正部が格納する第２補正テーブルが説明される。
【０２２１】
第２補正部２１８Ｃが格納する第２補正テーブル２２３Ｃは、第１実施形態と同様の期待値テーブル２２４及び決定テーブル２２５に加えて、垂直位置テーブル２５３Ｃを含む。期待値テーブル２２４及び決定テーブル２２５を用いた第２補正値の決定までの処理工程は、第１実施形態の原理に従う。
【０２２２】
垂直位置テーブル２５３Ｃは、画素の垂直位置に応じて定められた増幅係数のデータを含む。第２補正部２１８Ｃは、垂直位置テーブル２５３Ｃを用いて、Ｒフレーム画像信号ＳＲｎ（２）から読み取った画素の垂直位置に応じて第２補正値を増幅する。例えば、第２補正部２１８Ｃは、比較的早期に第２走査動作が開始されるゲート線Ｌ１上の画素に対しては、「１」の係数を第２補正値に乗算する。また、第２補正部２１８Ｃは、比較的遅く第２走査動作が開始されるゲート線Ｌ２ｔ上の画素に対しては、「１」よりも大きな係数を第２補正値に乗算する。この結果、比較的遅く第２走査動作が開始されるゲート線Ｌ２ｔ上の画素ほど、Ｒフレーム画像信号ＳＲｎ（２）が規定する目標輝度から離れた値の駆動輝度に設定される。かくして、第３実施形態と同様に、第２走査動作の開始タイミングが遅い領域のクロストークが適切に改善される。
【０２２３】
第３実施形態及び第４実施形態に関連して説明された垂直位置に基づく制御は、他の手法を用いても達成することができる。例えば、第２補正部は、垂直位置に応じて異なる期待値テーブルを備えてもよい。
【０２２４】
（第５実施形態）
第２走査動作が開始されるときにおいて画素が達成している輝度の値は、垂直位置だけでなく、第１走査動作が開始されるときの画素が達成している輝度の値（即ち、先行するフレーム画像の表示において、画素が達成している輝度の値）にも影響を受ける。本実施形態において、第１走査動作が開始されるときの画素が達成している輝度の値が考慮された制御が説明される。
【０２２５】
図２９は、第５実施形態に係る映像視聴システム及び表示装置に用いられる映像信号処理部の概略的なブロック図である。映像信号処理部を除く他の要素は、第１実施形態に関連して説明された要素と同様である。第１実施形態と同様の要素に対して、同様の符号が割り当てられている。以下において説明されない要素に対し、第１実施形態に係る説明が好適に援用される。図２９を用いて、第５実施形態に係る映像視聴システム及び表示装置に用いられる映像信号処理部が説明される。
【０２２６】
第５実施形態に係る映像視聴システム及び表示装置に用いられる映像信号処理部２１０Ｄは、第１実施形態と同様の第１等価部２１１、第１選択部２１２、第２等価部２１４、第２遅延部２１５、第３遅延部２１６、第１補正部２１７、第２選択部２１９及び出力部２２１に加えて、第１遅延部２１３Ｄ及び第２補正部２１８Ｄを備える。第１実施形態と異なり、第１遅延部２１３Ｄは、第２等価部２１４だけでなく第２補正部２１８Ｄにも先行フレームの画像信号を出力する。また、第２補正部２１８Ｄは、第１遅延部２１３Ｄからの出力信号を用いて、期待値を決定する。尚、第２補正部２１８Ｄは、第３実施形態及び第４実施形態に関連して説明された原理に基づき、画素の垂直位置に応じて、期待値を調整する。
【０２２７】
映像信号処理部２１０Ｄによる第１走査動作の制御は、第１実施形態に関連して説明された制御と同様である。以下に、映像信号処理部２１０Ｄによる第２走査動作の制御が説明される。
【０２２８】
図３０は、Ｎ番目のＲフレーム画像を表示するための第２走査期間に出力される信号が含む輝度のデータを示す。図１、図２９及び図３０を用いて、第２走査期間中の輝度のデータの変化が説明される。図３０中の表は、データ線Ｍに沿って整列した画素の輝度を表す。
【０２２９】
第１実施形態と同様に、Ｎ番目のＲフレーム画像信号ＳＲｎ（２）は、第１選択部２１２及び第２補正部２１８Ｄに入力される。第１選択部２１２は、第２走査期間に、Ｒフレーム画像信号ＳＲｎ（２）を出力部２２１へ出力する。Ｒフレーム画像信号ＳＲｎ（２）は、奇数番号のゲート線Ｌ１，Ｌ３，・・・，Ｌ２ｔ−１（ｔは自然数）上の画素に対して、「８０」の輝度を規定し、偶数番号のゲート線Ｌ２，Ｌ４，・・・，Ｌ２ｔ（ｔは自然数）上の画素に対して、「６０」の輝度を規定している。
【０２３０】
上述の如く、第１遅延部２１３Ｄは、第２走査期間において、Ｎ番目のＬフレーム画像信号ＳＬｎ（２）を第２補正部２１８Ｄに出力する。Ｌフレーム画像信号ＳＬｎ（２）は、奇数番号のゲート線Ｌ１，Ｌ３，・・・，Ｌ２ｔ−１（ｔは自然数）上の画素に対して、「４０」の輝度を規定し、偶数番号のゲート線Ｌ２，Ｌ４，・・・，Ｌ２ｔ（ｔは自然数）上の画素に対して、「０」の輝度を規定している。
【０２３１】
第２遅延部２１５は、第１実施形態と同様に、Ｒフレーム画像信号ＳＲｎ（２）に基づいて生成された等価信号ＳＲｎ（１ｄ）を第２補正部２１８Ｄに出力する。等価信号ＳＲｎ（１ｄ）は、データ線Ｍ上の画素全てに対して、「８０」の輝度を規定している。
【０２３２】
第３遅延部２１６は、第１実施形態と同様に、Ｌフレーム画像信号ＳＬｎ（２）に基づいて生成された等価信号ＳＬｎ（１ｄ）を第２補正部２１８Ｄに出力する。等価信号ＳＬｎ（１ｄ）は、データ線Ｍ上の画素全てに対して、「４０」の輝度を規定している。
【０２３３】
第２補正部２１８Ｄは、第１遅延部２１３Ｄから出力されたＬフレーム画像信号ＳＬｎ（２）が規定する輝度を参照する。第１実施形態とは異なり、Ｌフレーム画像信号ＳＬｎ（２）が偶数番号のゲート線Ｌ２，Ｌ４，・・・，Ｌ２ｔ（ｔは自然数）上の画素に対して規定する輝度は、Ｌフレーム画像信号ＳＬｎ（２）が奇数番号のゲート線Ｌ１，Ｌ３，・・・，Ｌ２ｔ−１（ｔは自然数）上の画素に対して規定する輝度を大きく下回る。したがって、偶数番号のゲート線Ｌ２，Ｌ４，・・・，Ｌ２ｔ（ｔは自然数）上の画素が第２走査動作開始時において達成している輝度は、奇数番号のゲート線Ｌ１，Ｌ３，・・・，Ｌ２ｔ−１（ｔは自然数）上の画素が第２走査動作開始時において達成している輝度よりも低いことが予想される。したがって、第２補正部２１８Ｄは、奇数番号のゲート線Ｌ１，Ｌ３，・・・，Ｌ２ｔ−１（ｔは自然数）上の画素に対して決定された期待値よりも小さな期待値を偶数番号のゲート線Ｌ２，Ｌ４，・・・，Ｌ２ｔ（ｔは自然数）上の画素に対して決定する。
【０２３４】
また、第２補正部２１８Ｄは、第３実施形態及び第４実施形態に関連して説明された画素の位置に応じた調整を期待値に対して行う。したがって、第２補正部２１８Ｄは、液晶パネル２３１の上部に位置する偶数番号のゲート線Ｌ２上の画素に対して「５０」の期待値を設定し、液晶パネル２３１の下部に位置する偶数番号のゲート線Ｌ２ｔ上の画素に対して「６５」の期待値を設定する。尚、本実施形態において、説明の明瞭化のため、第２補正部２１８Ｄは、奇数番号のゲート線Ｌ１，Ｌ３，・・・，Ｌ２ｔ−１（ｔは自然数）上の画素全てに対して、「７５」の期待値を設定している。第２補正部２１８Ｄは、奇数番号のゲート線Ｌ１，Ｌ３，・・・，Ｌ２ｔ−１（ｔは自然数）上の画素に対しても、第３実施形態及び第４実施形態に関連して説明された画素の位置に応じた調整を行ってもよい。
【０２３５】
上述の如く、Ｒフレーム画像信号ＳＲｎ（２）は、偶数番号のゲート線Ｌ２，Ｌ４，・・・，Ｌ２ｔ（ｔは自然数）上の画素に対して、「６０」の輝度を規定している。また、第２補正部２１８Ｄは、液晶パネル２３１の上部に位置する偶数番号のゲート線Ｌ２上の画素に対して「５０」の期待値を設定している。したがって、第２補正部２１８Ｄは、「６０」の輝度と「５０」の期待値とを比較し、「＋５」の第２補正値を、液晶パネル２３１の上部に位置する偶数番号のゲート線Ｌ２上の画素に対して決定する。
【０２３６】
上述の如く、第２補正部２１８Ｄは、液晶パネル２３１の下部に位置する偶数番号のゲート線Ｌ２ｔ上の画素に対して「６５」の期待値を設定している。したがって、第２補正部２１８Ｄは、「６０」の輝度と「６５」の期待値とを比較し、「−５」の第２補正値を、液晶パネル２３１の上部に位置する偶数番号のゲート線Ｌ２上の画素に対して決定する。
【０２３７】
第２補正部２１８Ｄは、第１実施形態と同様に、第２補正値の情報を含む第２補正信号ＣＲｎ（２）を第２選択部２１９へ出力する。出力部２２１は、第１実施形態と同様に、第２画像信号ＩＲｎ（２）を生成並びに出力する。生成された第２画像信号ＩＲｎ（２）は、奇数番号のゲート線Ｌ１，Ｌ３，・・・，Ｌ２ｔ−１（ｔは自然数）上の画素全てに対して、「８０」の駆動輝度を規定している。また、第２画像信号ＩＲｎ（２）は、液晶パネル２３１の上部に位置する偶数番号のゲート線Ｌ２上の画素に対して「６５」の駆動輝度を規定している。更に、第２画像信号ＩＲｎ（２）は、液晶パネル２３１の下部に位置する偶数番号のゲート線Ｌ２ｔ上の画素に対して「５５」の駆動輝度を規定している。
【０２３８】
図３１は、図３０に関連して説明された信号処理に基づく画素の輝度の変化を表す概略的なタイムチャートである。図２１、図２９乃至図３１を用いて、画素の輝度変化が説明される。
【０２３９】
図３１のセクション（Ａ）乃至セクション（Ｄ）は、図２１のセクション（Ａ）乃至セクション（Ｄ）と同様である。図３１のセクション（Ｅ）は、液晶パネル２３１の上部に位置する偶数番号のゲート線Ｌ２上の画素の輝度の変化を表す。図３１のセクション（Ｆ）は、液晶パネル２３１の下部に位置する偶数番号のゲート線Ｌ２ｔ上の画素の輝度の変化を表す。
【０２４０】
先行するＬフレーム画像信号ＳＬｎ（２）が偶数番号のゲート線Ｌ２，Ｌ４，・・・，Ｌ２ｔ（ｔは自然数）上の画素に対して規定する輝度は、「０」であるので、Ｎ番目の右眼期間の第１走査動作において、偶数番号のゲート線Ｌ２，Ｌ４，・・・，Ｌ２ｔ（ｔは自然数）上の画素の輝度は、「０」から変化を開始する。第１実施形態と同様に、データ線Ｍ上の画素全てに対して、「８５」の駆動輝度が設定されるので、液晶パネル２３１の上部に位置する偶数番号のゲート線Ｌ２上の画素及び液晶パネル２３１の下部に位置する偶数番号のゲート線Ｌ２ｔ上の画素に対応する液晶は、「８５」の駆動輝度に向けて駆動される。この結果、液晶パネル２３１の上部に位置する偶数番号のゲート線Ｌ２上の画素は、第２走査動作が開始されるとき、「５０」の駆動輝度を達成している。一方、液晶パネル２３１の下部に位置する偶数番号のゲート線Ｌ２ｔ上の画素に対応する液晶は、液晶パネル２３１の上部に位置する偶数番号のゲート線Ｌ２上の画素に対応する液晶よりも長い期間に亘って「８５」の駆動輝度に向けて駆動されるので、液晶パネル２３１の下部に位置する偶数番号のゲート線Ｌ２ｔ上の画素は、第２走査動作が開始されるとき、「６５」の駆動輝度を達成している。
【０２４１】
第２画像信号ＩＲｎ（２）は、液晶パネル２３１の上部に位置する偶数番号のゲート線Ｌ２上の画素に対して「６５」の駆動輝度を規定しているので、液晶パネル２３１の上部に位置する偶数番号のゲート線Ｌ２上の画素は、第２走査期間において、輝度を増大させる。この結果、液晶パネル２３１の上部に位置する偶数番号のゲート線Ｌ２上の画素は、Ｒフレーム画像信号ＳＲｎ（２）が規定する目標輝度「６０」に近づく。
【０２４２】
第２画像信号ＩＲｎ（２）は、液晶パネル２３１の下部に位置する偶数番号のゲート線Ｌ２ｔ上の画素に対して「５５」の駆動輝度を規定しているので、液晶パネル２３１の下部に位置する偶数番号のゲート線Ｌ２ｔ上の画素は、第２走査期間において、輝度を減少させる。この結果、液晶パネル２３１の下部に位置する偶数番号のゲート線Ｌ２ｔ上の画素は、Ｒフレーム画像信号ＳＲｎ（２）が規定する目標輝度「６０」に近づく。
【０２４３】
かくして、第５実施形態において、右眼期間の開始時の画素の輝度及び画素の位置が考慮された制御が達成される。したがって、フレーム画像の状態及び画素の位置にかかわらず、安定して、クロストークの低減が図られる。
【０２４４】
上述の様々な実施形態において、先行するフレーム画像の輝度レベルや画素の位置といった様々な要素に基づき、液晶を駆動するための駆動輝度が設定される。駆動輝度の設定に用いられた様々な要素に加えて、他の要素が考慮されてもよい。例えば、液晶パネルの温度分布及び／又は液晶の応答速度や画素の輝度に影響する他の要素が、駆動輝度を設定するために用いられてもよい。
【０２４５】
上述の一連の実施形態において、Ｌフレーム画像とＲフレーム画像とが交互に表示される立体映像のクロストークが説明されている。２次元的に映像を知覚させるための複数のフレーム画像に対しても、上述の一連の実施形態に関連して説明された原理は適用される。先行するフレーム画像と後続のフレーム画像との輝度差に起因する２次元映像上でのクロストークは、上述の一連の実施形態に関連して説明された原理によって、好適に低減される。
【産業上の利用可能性】
【０２４６】
本発明は、クロストークの低減が可能な表示装置及び映像視聴システムとして好適である。
【符号の説明】
【０２４７】
１００・・・・・・・・・・・・・・・・・映像視聴システム
２００・・・・・・・・・・・・・・・・・表示装置
２１０，２１０Ａ，２１０Ｄ・・・・・・・映像信号処理部
２２０・・・・・・・・・・・・・・・・・液晶駆動部
２２２・・・・・・・・・・・・・・・・・第１補正テーブル
２２３，２２３Ｂ，２２３Ｃ・・・・・・・第２補正テーブル
２２４・・・・・・・・・・・・・・・・・期待値テーブル
２２５・・・・・・・・・・・・・・・・・決定テーブル
２３１・・・・・・・・・・・・・・・・・液晶パネル
２５３・・・・・・・・・・・・・・・・・垂直位置テーブル
３００・・・・・・・・・・・・・・・・・眼鏡装置
３１１・・・・・・・・・・・・・・・・・左眼シャッタ
３１２・・・・・・・・・・・・・・・・・右眼シャッタ
Ｐ１乃至Ｐ８・・・・・・・・・・・・・・画素
ＳＬｎ（２）・・・・・・・・・・・・・・Ｌフレーム画像信号
ＩＲｎ（１）・・・・・・・・・・・・・・第１画像信号
ＩＲｎ（２）・・・・・・・・・・・・・・第２画像信号
ＳＲｎ（１），ＳＬｎ（１）・・・・・・・等価信号
ＳＲｎ（１ｄ），ＳＬｎ（１ｄ）・・・・・等価信号
ＳＲｎ（２）・・・・・・・・・・・・・・Ｒフレーム画像信号
【図１】
2012137628.tif 000003
【図２】
2012137628.tif 000004
【図３】
2012137628.tif 000005
【図４】
2012137628.tif 000006
【図５】
2012137628.tif 000007
【図６】
2012137628.tif 000008
【図７】
2012137628.tif 000009
【図８】
2012137628.tif 000010
【図９】
2012137628.tif 000011
【図１０】
2012137628.tif 000012
【図１１】
2012137628.tif 000013
【図１２】
2012137628.tif 000014
【図１３】
2012137628.tif 000015
【図１４】
2012137628.tif 000016
【図１５】
2012137628.tif 000017
【図１６】
2012137628.tif 000018
【図１７】
2012137628.tif 000019
【図１８】
2012137628.tif 000020
【図１９】
2012137628.tif 000021
【図２０】
2012137628.tif 000022
【図２１】
2012137628.tif 000023
【図２２】
2012137628.tif 000024
【図２３】
2012137628.tif 000025
【図２４】
2012137628.tif 000026
【図２５】
2012137628.tif 000027
【図２６】
2012137628.tif 000028
【図２７】
2012137628.tif 000029
【図２８】
2012137628.tif 000030
【図２９】
2012137628.tif 000031
【図３０】
2012137628.tif 000032
【図３１】
2012137628.tif 000033
【図３２】
2012137628.tif 000034
【図３３】
2012137628.tif 000035
【図３４】
2012137628.tif 000036